(57)【要約】香り放出システムは、温度活性化香り媒体を含む香りカートリッジを含む。香りカートリッジは、どの香り媒体がカートリッジに担持されているかを特定する機械可読識別を担持する。香り放出システムは、選択的に１以上の香りを放出させる香り媒体の相遷移を開始させるタイマーにより制御され、その後、各香りの放出を選択的に停止させる逆相遷移が続く。スマートフォンなどの携帯電子デバイスと連携した香り放出システムは、香りメッセージの送信及び受信を可能にする。香り放出システムは、携帯電子デバイスのためのケースに組み込まれることができ、別体のユニットの必要性を解消する。ヘッドセットの携帯の個人的な香り送達デバイスは、香り送達デバイスのユーザ又は香りメッセージの受信者に装着され得る。【選択図】図１０
2016522690.tif 000002
【特許請求の範囲】
【請求項１】
香りカートリッジであって、
基板と、
前記基板に担持される複数の温度活性化香り媒体であって、前記温度活性化香り媒体は、それぞれ、各香りを放出し、前記各香りの放出を停止するように選択的に活性化可能であり、前記香りは、互いに異なる少なくとも２つの前記温度活性化香り媒体により放出される、前記温度活性化香り媒体と、
前記基板に物理的に関連付けられた少なくとも１つの機械可読識別構造であって、前記少なくとも１つの機械可読識別構造は、前記基板に担持される前記温度活性化香り媒体の前記各香りのそれぞれを特定する機械可読識別情報を提供する、前記少なくとも１つの機械可読識別構造と、
を含む香りカートリッジ。
【請求項２】
前記少なくとも１つの機械可読識別構造が、前記香りカートリッジの少なくとも一部に担持される少なくとも１つの機械可読シンボルを含む、請求項１の香りカートリッジ。
【請求項３】
前記少なくとも１つの機械可読識別構造が、前記香りカートリッジの少なくとも一部に担持される少なくとも１つの無線トランスポンダを含む、請求項１の香りカートリッジ。
【請求項４】
前記少なくとも１つの機械可読識別構造が、前記基板上の少なくとも１つの隆起部又はくぼみを含む、請求項１の香りカートリッジ。
【請求項５】
前記少なくとも１つの機械可読識別構造が、前記基板に担持される少なくとも１つの磁気ストライプを含む、請求項１の香りカートリッジ。
【請求項６】
前記機械可読識別情報が、カートリッジタイプを特定し、香りの同じ組み合わせを放出する各温度活性化香り媒体を有する複数の香りカートリッジのそれぞれがカートリッジのタイプにより識別される、請求項１の香りカートリッジ。
【請求項７】
前記機械可読識別情報が、前記基板に担持される前記温度活性化香り媒体のそれぞれについて個別の香りを指定する、請求項１の香りカートリッジ。
【請求項８】
前記機械可読識別情報が、複数の他の香りカートリッジのそれぞれから香りカートリッジを更に区別する、請求項１の香りカートリッジ。
【請求項９】
少なくとも１つの位置合わせ構造であって、
前記香りカートリッジは、前記ハウジング内に少なくとも部分的に受容されるサイズであり、
前記位置合わせ構造は、前記ハウジング内で活性化要素の組に対して規定された方位に温度活性化香り媒体を向けるか又は配置にするように、前記ハウジング内の相補的位置合わせ構造と協働的に連携する、
前記少なくとも１つの位置合わせ構造を更に含む、請求項１の香りカートリッジ。
【請求項１０】
前記活性要素の組の前記活性要素の対応するものと熱伝導的に連結するように、行と列の秩序ある配列で前記基板上の平坦な面上で空間的に分散された少なくとも４つの前記温度活性化香り媒体であって、
各前記温度活性化香り媒体は、各主軸を有し、各前記温度活性化香り媒体は、前記各主軸を、前記基板の前記平坦な面に垂直に延在させて配列される、請求項９の香りカートリッジ。
【請求項１１】
前記温度活性化香り媒体が、香りタイプの取り決めに従う特定の順序で配置される、請求項１０の香りカートリッジ。
【請求項１２】
前記温度活性化香り媒体の少なくとも何れかと物理的に接触する金属箔であって、前記金属箔は、前記香りカートリッジが前記ハウジング内に少なくとも部分的に受容されるときに、前記温度活性化香り媒体を前記活性化要素の対応するものに熱伝導的に連結する、前記金属箔
を更に含む、請求項１０の香りカートリッジ。
【請求項１３】
前記温度活性化香り媒体が、各揮発性、親油性又はオイルベースの香りの物質を含浸させたワックスの形態を取る、請求項１の香りカートリッジ。
【請求項１４】
香りカートリッジから香りを提供するための香り送達システムにおける動作方法であって、前記方法は、
前記香り送達システムにより、各香りを選択的に放出するある数の香り媒体を担持する香りカートリッジを取り外し可能に受容することと、
前記香り送達システムにより取り外し可能に受容される前記香りカートリッジから機械可読情報を読み取ることと、
前記香り送達システムにより、放出される香りの時間的シーケンスを特定する前記香り活性化情報の組を受信することと、
前記香り送達システムの少なくとも１つのプロセッサにより、前記香りカートリッジが香り活性化情報の前記組に適切かどうか決定することと、
前記香りカートリッジが香り活性化情報の前記組のために適切であることの決定に応答し、前記香り送達システムから香りを提供するように香り活性化情報の前記組に従う前記香り媒体を活性化することを有する、方法。
【請求項１５】
前記香りカートリッジが前記香り活性化情報の前記組のために不適切であることの決定に応答し、前記香り送達システムから通知を提供することを更に含む、請求項１４の方法。
【請求項１６】
前記香り送達システムから通知を提供することは、通信的に連結された携帯電子デバイスのトランスドューサーに、少なくとも１つの視覚的、聴覚的、又は触覚的警告を提供させることを含む、請求項１５の方法。
【請求項１７】
前記香り送達システムから通知を提供することは、通信的に連結されたプロセッサ・ベースのデバイスにメッセージを送信することを含む、請求項１５の方法。
【請求項１８】
前記香りカートリッジが香り活性化情報の前記組に不適切であることの決定に応答し、香り活性化情報の前記組により特定されるある数の空間的な位置に対応する前記香りカートリッジ内の前記香り媒体の空間的な位置により特定される順序で前記香り媒体を活性化することを更に含む、請求項１５の方法。
【請求項１９】
前記香り送達システムにより取り外し可能に受容される前記香りカートリッジから機械可読情報を読み取ることは、前記香りカートリッジに物理的に関連付けられた少なくとも１つの機械可読シンボルを光学的に読み取ることを含む、請求項１４の方法。
【請求項２０】
前記香り送達システムにより取り外し可能に受容される前記香りカートリッジから機械可読情報を読み取ることは、前記香りカートリッジに物理的に関連付けられた無線トランスポンダから情報を無線で読み取ることを含む、請求項１４の方法。
【請求項２１】
前記香り送達システムにより取り外し可能に受容される前記香りカートリッジから機械可読情報を読み取ることは、前記香りカートリッジに物理的に関連付けられた磁気ストライプから情報を磁気的に読み取ることを含む、請求項１４の方法。
【請求項２２】
前記香り送達システムにより取り外し可能に受容される前記香りカートリッジから機械可読情報を読み取ることは、前記香りカートリッジのカートリッジタイプを識別する識別情報を読み取ることを含み、前記カートリッジタイプは、同じカートリッジタイプを共有する全ての香りカートリッジにより放出可能な前記香りを示す、請求項１４の方法。
【請求項２３】
前記香り送達システムにより取り外し可能に受容される前記香りカートリッジから機械可読情報を読み取ることは、前記香りカートリッジにより放出可能な各香りを識別する識別情報を読み取ることを含む、請求項１４の方法。
【請求項２４】
前記香り送達システムにより取り外し可能に受容される前記香りカートリッジから機械可読情報を読み取ることは、他の複数の香りカートリッジのそれぞれから前記香りカートリッジを区別する識別情報を読み取ることを含む、請求項１４の方法。
【請求項２５】
取り外し可能な香りカートリッジから香りを提供するための香り送達システムの動作方法であって、前記方法は、
選択的に固体又は半固体状態から液体状態へ変態可能であり、及び、選択的に固体又は半固体状態へ逆変態可能である、ある数の香り媒体を担持する香りカートリッジを前記香り送達システムにより取り外し可能に受容することと、
制御サブシステムにより少なくとも１つの香りを放出する時間を設定する指示を受信することと、
設定した時間が生じたことに応答し、前記ある数の香り媒体の少なくとも１つを、そこから各香りを選択的に放出させるように、前記固体又は半固体状態から前記液体状態へ変態させることと、
その後、前記ある数の香り媒体の前記少なくとも１つを、そこからの各香りの放出を選択的に停止するように、前記液体状態から前記固体又は半固体状態へ逆変態させること
を有する、方法。
【請求項２６】
前記ある数の香り媒体の少なくとも１つを、そこから各香りを選択的に放出させるように、前記固体又は半固体状態から前記液体状態へ変態させることは、前記ある数の香り媒体の前記少なくとも１つを加熱することを含む、請求項２５の方法。
【請求項２７】
前記ある数の香り媒体のそれぞれがワックス基板及び少なくとも１つの揮発性の香り物質を含み、前記ある数の香り媒体の少なくとも１つを、そこから各香りを選択的に放出させるように、前記固体又は半固体状態から前記液体状態へ変態させることは、前記ワックス基板を溶解し、前記揮発性の香り物質を揮発させるように、前記ある数の香り媒体の前記少なくとも１つを加熱することを含む、請求項２５の方法。
【請求項２８】
前記香り媒体はワックス基板を含み、前記香りがコーヒーの香りであり、前記ある数の香り媒体の少なくとも１つを、そこから各香りを選択的に放出させるように、前記固体又は半固体状態から前記液体状態へ変態させることは、前記ワックス基板を溶解させ、前記コーヒーの香りを揮発させるように、前記ある数の香り媒体の前記少なくとも１つを加熱することを含む、請求項２５の方法。
【請求項２９】
少なくとも１つの香りを放出する時間を設定する指示を受信することは、前記香り送達システムとは別体の、前記香り送達システムに通信的に連結されたプロセッサ・ベースのデバイスから目覚まし時刻の指示を受信することを含む、請求項２５の方法。
【請求項３０】
設定した時間が生じたことを、少なくとも１つのプロセッサにより決定することを更に含む、請求項２５の方法。
【請求項３１】
設定した時間が生じたことを、少なくとも１つのプロセッサにより決定することは、前記第１の設定した時間を、規定のタイムゾーンでの現実世界の時間を示す数値と比較することを含む、請求項３０の方法。
【請求項３２】
前記ある数の香り媒体の少なくとも１つを、そこからの各香りの放出を選択的に停止するように、前記液体状態から前記固体又は半固体状態へ逆変態させることは、少なくとも１つのペルチェデバイスを介して前記ある数の香り媒体の少なくとも１つを能動的に冷却することを含む、請求項２５の方法。
【請求項３３】
香り送達デバイスであって、
ハウジングであって、前記ハウジングの少なくとも一部が、プロセッサ・ベースの携帯デバイスの少なくとも一部を物理的に取り外し可能に受容するようなサイズ及び寸法にされており、前記ハウジングは、少なくとも１つの香り生成チャンバ、及び、ある数の消耗可能な香り媒体をそれぞれ担持する香り媒体カートリッジを取り外し可能に受容するようなサイズ及び寸法にされた少なくとも１つの香り媒体カートリッジレシーバーを有する、前記ハウジングと、
ある数の各香り媒体の対応するものによって各香りを前記香り生成チャンバに放出させるように選択的に動作可能な香りアクチュエータと、
プロセッサ・ベースの携帯デバイスと通信的に連結可能な前記香り送達デバイスの少なくとも一部
を含む香り送達デバイス。
【請求項３４】
前記ハウジングが、使用に際して、前記ハウジング内に受容される前記プロセッサ・ベースの携帯デバイスの周辺に固定的に係合する少なくとも１つの側壁を有する弾性シリコンスリーブである、請求項３３の香り送達デバイス。
【請求項３５】
前記ハウジングが、使用に際して、前記ハウジング内に受容される前記プロセッサ・ベースの携帯デバイスの周辺に固定的に係合する少なくとも１つの側壁を有するハードシェルケースである、請求項３３の香り送達デバイス。
【請求項３６】
前記香りアクチュエータが多数のペルチェデバイスを含む、請求項３３の香り送達デバイス。
【請求項３７】
前記香りアクチュエータの動作を制御するために通信的に連結され、前記ハウジングに物理的に関連付けられる制御サブシステムを更に含む、請求項３３の香り送達デバイス。
【請求項３８】
少なくとも、前記プロセッサ・ベースの携帯デバイスが前記香り送達デバイスの前記ハウジングにより受容されたときに、前記制御サブシステムと前記プロセッサ・ベースの携帯デバイスの間の通信を提供するように前記制御サブシステムに通信的に連結された通信サブシステム、を更に含む、請求項３７の香り送達デバイス。
【請求項３９】
前記通信サブシステムが、前記プロセッサ・ベースの携帯デバイスとの無線通信を提供するためのラジオを含む、請求項３８の香り送達デバイス。
【請求項４０】
前記通信サブシステムが、前記プロセッサ・ベースの携帯デバイスとの無線通信を提供するための有線通信ポートを含む、請求項３８の香り送達デバイス。
【請求項４１】
前記ハウジングの少なくとも１つの通路内に香りの流れを生じさせるように選択的に動作可能な少なくとも１つのファンを更に含む、請求項３３の香り送達デバイス。
【請求項４２】
香り送達デバイスであって、
生物学的対象の頭部に装着されるようなサイズ及び寸法にされた支持構造と、
前記支持構造に物理的に連結されたハウジングであって、前記ハウジングは、少なくとも１つの香り生成チャンバ、及び、ある数の消耗可能な香り媒体をそれぞれ担持する香り媒体カートリッジを取り外し可能に受容するようなサイズ及び寸法にされた少なくとも１つの香り媒体カートリッジレシーバーを有する、前記ハウジングと、
前記ある数の消耗可能な香り媒体の対応するものによる前記香り生成チャンバへの各香りの放出を生じさせるように選択的に動作可能な香りアクチュエータと、
を含み、
前記香り送達デバイスの少なくとも一部がプロセッサ・ベースの携帯デバイスに通信的に連結可能である、
香り送達デバイス。
【請求項４３】
前記香りアクチュエータが複数のペルチェデバイスを含む、請求項４２の香り送達デバイス。
【請求項４４】
前記ハウジングに物理的に関連付けられ、前記香りアクチュエータの動作を制御するために通信的に連結された制御サブシステムを更に含む、請求項４２の香り送達デバイス。
【請求項４５】
少なくとも、前記プロセッサ・ベースの携帯デバイスが前記香り送達デバイスの前記ハウジングにより受容されるときに、前記制御サブシステムと前記プロセッサ・ベースの携帯デバイスの間の通信を提供するように前記制御サブシステムに通信的に連結される通信サブシステムを更に含む、請求項４４の香り送達デバイス。
【請求項４６】
前記通信サブシステムが、前記プロセッサ・ベースの携帯デバイスとの無線通信を提供するラジオを含む、請求項４５の香り送達デバイス。
【請求項４７】
前記通信サブシステムが、前記プロセッサ・ベースの携帯デバイスとの無線通信を提供する有線通信ポートを含む、請求項４５の香り送達デバイス。
【請求項４８】
前記ハウジングの少なくとも１つの通路内に香りの流れを生じさせるように選択的に動作可能な少なくとも１つのファンを更に含む、請求項４２の香り送達デバイス。
【請求項４９】
香りポートを有し、使用中にユーザの鼻の近くに香りを選択的に放出するための、前記香り生成チャンバから前記香りポートへの流体連絡パスを提供する少なくとも１つの導管を更に含む、請求項４２の香り送達デバイス。
【請求項５０】
少なくとも１つのプロセッサ、及び、前記少なくとも１つのプロセッサと通信的に連結された非一時的プロセッサ可読メモリーを含むプロセッサ・ベースの携帯デバイスを用いて香りトラックを含む無線の香りメッセージを通信する方法であって、前記方法は、
前記少なくとも１つのプロセッサにより、香りトラックのライブラリーを前記非一時的プロセッサ可読メモリーに保存することと、
前記プロセッサにより、特定の香りトラックの選択を受信することと、
前記プロセッサにより、前記無線の香りメッセージを形成するように、テキスト部及び選択された目的地を有するメッセージに前記香りトラックをリンクすることと、
前記プロセッサにより、前記無線の香りメッセージを、前記選択された目的地へのその後の送信のために無線送信機へ転送すること、
を含む、無線香りメッセージの通信方法。
【請求項５１】
前記香りトラックが、前記選択された目的地で１つ以上の香りを送達するように活性化され得る１つ以上の消費可能な香り媒体のチップを識別する、請求項５０の方法。
【請求項５２】
前記香りトラックが、前記選択された目的地で１つ以上の香りを再生するための情報を含む消費可能な香り媒体のチップと関連づけられた機械可読コードである、請求項５０の方法。
【請求項５３】
前記無線香りメッセージが、ショートメッセージサービス（ＳＭＳ）メッセージ、インスタントメッセージ、又は電子メール（ｅｍａｉｌ）メッセージのうちの１つとしてフォーマットされる、請求項５０の方法。
【請求項５４】
前記香りトラックを示すアイコンを表示することと、前記無線の香りメッセージの一部として前記アイコンを送信することを更に含む、請求項５０の方法。
【請求項５５】
前記香りトラックを示すオーディオトラックを再生することと、前記無線の香りメッセージの一部として前記オーディオトラックを送信することを更に含む、請求項５０の方法。
【請求項５６】
携帯コンピューティングデバイスを使用して香りメッセージを生成する方法であって、前記方法は、
香りトラックを選択することと、
前記香りトラックの視覚的表示を提供するアイコンを選択することと、
テキスト部の送信によって、前記香りメッセージとしてアイコン及び前記香りトラックも一緒に送信されるように、前記アイコン及び前記香りトラックを前記テキスト部と論理的に関連付けること
を有する、香りメッセージを生成する方法。
【請求項５７】
前記香りトラックの聴覚的表示を提供するオーディオトラックを選択することを更に含む、請求項５６の方法。
【請求項５８】
前記香りメッセージの送信によって前記オーディオトラックも送信されるように、前記オーディオトラックを前記香りメッセージに論理的に関連付けることを更に含む、請求項５７の方法。
【請求項５９】
グラフィカルユーザーインターフェイスを使用して前記香りトラックを構成することを更に含む、請求項５６の方法。
【請求項６０】
前記オーディオトラックと同期された前記香りトラックの構成を容易にするように、グラフィカルユーザーインターフェイスが前記オーディオトラックのグラフを表示する、請求項５９のシステム。
【請求項６１】
前記香りトラックは、香り転写のプロトコルに従う、請求項５６の物品。
【請求項６２】
前記香り転写のプロトコルが、ＭＩＤＩプロトコルである、請求項６１の方法。
【請求項６３】
前記香りトラックが、調和した再生のために、前記オーディオトラックと同期されている、請求項５７の方法。
【請求項６４】
前記オーディオトラックに同期された前記香りトラックが、前記オーディオトラックの構造転移に従っている、請求項６０の方法。
【請求項６５】
前記構造転移が、オーディオトラック内の動的ピークである、請求項６４の方法。
【請求項６６】
前記構造転移が、楽曲の構造転移である、請求項６４の方法。
【請求項６７】
プロセッサ、及び、前記プロセッサに通信的に連結された非一時的プロセッサ可読メモリーを含むプロセッサ・ベースの携帯デバイスを使用して無線の香りメッセージを受信する方法であって、前記方法は、
無線レシーバーを使用する無線メッセージの受信を感知することと、
前記無線メッセージが香りトラックを含むか否か決定することと、
前記無線メッセージが香りトラックを含む場合は、前記プロセッサにより、香りメッセージとしての前記メモリー内での記憶のために、前記無線レシーバーから前記プロセッサ可読メモリーへ前記無線メッセージを転送することと、
前記プロセッサにより、前記香りメッセージの異なる構成部分をアイコン、テキスト、香りトラック、及び、オーディオトラックに構文解析することと、
前記香りメッセージを読み取るためのユーザの入力に応答して、
前記テキスト及び前記アイコンを表示することと、
前記オーディオトラックを再生することと、
前記香りトラックに従って１つ以上の香りを送達すること
を有する無線の香りメッセージを受信する方法。
【請求項６８】
前記香りトラックが、１つ以上の香りを送達するように活性化され得る１つ以上の消費可能な香り媒体チップを識別する、請求項６７の方法。
【請求項６９】
前記香りメッセージを受信したときに、ユーザに警告することを更に含む、請求項６７の方法。
【発明の詳細な説明】
【背景】
【０００１】
分野
本開示は、制御されたシステムを介して嗅覚感覚を１人以上のユーザへ提供することに主に関する。
【０００２】
関連分野の説明
我々の五感は全て、情報を脳へ送達するメッセンジャーとして機能し、その後脳がこの情報を処理することにより、我々は比較的予測可能な様態で応答する。我々の嗅覚の文脈内において、全ての匂いは、それら自体を特定の化学的構成で提示し、ヒトが多様な別個の匂いを感知することを可能にする。匂いの感知は鼻内において開始し、そこでは、各分子が嗅覚受容体の大きいファミリーによって検出される。嗅覚受容体は様々なタンパク質シーケンスを有し、シーケンスの関係に基づいてサブファミリーへ割り当てられる。これらの観察は、ヒトの匂い感知の基盤となる仕組みの研究の基本となっており、その結果、２００４年の生理学及び医学におけるＬｉｎｄａ  Ｂ．Ｂｕｃｋ及びＲｉｃｈａｒｄ  Ａｘｅｌへのノーベル賞付与に繋がった。
【０００３】
しかし、我々の嗅覚の顕著な重要性があってさえ、この感覚の明白な生理学的価値の開発又はヒトが彼らの周囲の世界を日々どのように経験するかへの嗅覚のより完全な取り入れのためのことは、ほとんど何も行われていない。ユーザへの嗅覚感覚の提供のための試みのためにいくつかのシステム及びデバイスが提案されているものの、これらのシステム及びデバイスは、挙動を変化させるために使用され得る携行型であり、個人用であり、標的型で、有効な送達システムとしては不適切であることが分かっている。これらのシステム及びデバイスのうちいくつかは、個人使用のために意図されているがその一方で、他のシステム及びデバイスは、映画館などの共用領域にいる人々などの人々のグループに同時に嗅覚感覚を提供することを意図している。
【０００４】
個人用及び／又はグループ用途のために、生理学的応答を送達するために、所望の香りを選択的に自動化し（所望の匂いをより高精度に制御し、遠隔的に送達することを含む）、音声的及び／又は視覚的刺激を嗅覚感覚と協働させる新規なアプローチが所望されている。
【０００５】
簡潔な要旨
エンドユーザーに臭覚感覚経験を提供する様々なシステム、方法、物品について記載する。ある実施形態では、音声的及び／又は視覚的信号を有する嗅覚刺激の携行可能な離散的な送達を可能にして、嗅覚刺激の標的ではないものへの影響を最小化しつつ、ヒト及び動物挙動への影響を向上させ、これにより、ユーザの全体的感覚経験を大幅に向上させるシステムが提供される。有利には、このようなシステムは携行可能であることができ、ユーザが多様な環境においてシステムの恩恵をオンデマンドで持つことが可能になる。このようなシステムのプログラミングは、リモートデバイス（例えば、電話又は他の電子機器）又はユーザによって活性化され得る。上記したように、ユーザへ提供されるプログラミング制御への補完として、システムは、多様なデバイスから提供される信号をリモートに受信するようにも構成されることができ、これにより、サードパーティーが音声的及び／又は視覚的信号に加えて嗅覚刺激を介してユーザと関与することが可能になる。
【０００６】
他の実施形態では、システムは、嗅覚刺激が映画やライブショーのような音声的−視覚的経験を高め得る、例えば、映画館の設定で人々のグループへの嗅覚刺激の送達を許容し得る得る。このような実施形態は、会場や観客の大きさに比例して見積もられ、以下に示すものと同様のコンポーネント（部品／構成要素）及び形成因子を実施し得る。代替的には、このような実施形態は、本明細書中の動作原理との一貫性を維持しつつ、グループの設定に適した異なる形成因子を用い得る。
【０００７】
システムは、ユーザの嗅覚経験を高めるようにするためだけに使用され得るのでなく、顕著に、嗅覚及び聴覚／視覚信号の接続を介して、挙動変化を誘起又は増進して生理学的状態を変化させるように使用され得る。例えば、システムは、覚醒のより高い状態に結びつくコーヒーの香りを送達し得る。コーヒーの香りの送達は、音楽と視覚イメージ（例えば、コーヒーカップ）の提供を伴い得る、又は、システムは、チョコレートのイメージに関連付けられた提示を任意的に伴うチョコレートの香りを送達し、満足感を促進し得る。
【０００８】
更に、本明細書中に記載のシステム、方法、デバイスは、電子デバイスのユーザが香りを共有する、又は、香りメッセージ又は香り広告の通信により潜在的な消費者に香りを宣伝がすることを可能にする。
【０００９】
香りカートリッジは、基板と、前記基板に担持される複数の温度活性化香り媒体であって、前記温度活性化香り媒体は、それぞれ、各香りを放出し、前記各香りの放出を停止するように選択的に活性化可能であり、前記香りは、互いに異なる少なくとも２つの前記温度活性化香り媒体により放出される、前記温度活性化香り媒体と、前記基板に物理的に関連付けられた少なくとも１つの機械可読識別構造であって、前記少なくとも１つの機械可読識別構造は、前記基板に担持される前記温度活性化香り媒体の前記各香りのそれぞれを特定する機械可読識別情報を提供する、前記少なくとも１つの機械可読識別構造とを含む香りカートリッジとして要約され得る。前記少なくとも１つの機械可読識別構造が、前記香りカートリッジの少なくとも一部に担持される少なくとも１つの機械可読シンボルを含み得る。前記少なくとも１つの機械可読識別構造が、前記香りカートリッジの少なくとも一部に担持される少なくとも１つの無線トランスポンダを含み得る。前記少なくとも１つの機械可読識別構造が、前記基板上の少なくとも１つの隆起部又はくぼみを含み得る。前記少なくとも１つの機械可読識別構造が、前記基板に担持される少なくとも１つの磁気ストライプを含み得る。前記機械可読識別情報が、カートリッジタイプを特定し、香りの同じ組み合わせを放出する各温度活性化香り媒体を有する複数の香りカートリッジのそれぞれがカートリッジのタイプにより識別され得る。前記機械可読識別情報が、前記基板に担持される前記温度活性化香り媒体のそれぞれについて個別の香りを指定し得る。
【００１０】
前記機械可読識別情報が、複数の他の香りカートリッジのそれぞれから香りカートリッジを更に区別し得る。
【００１１】
香りカートリッジは、少なくとも１つの位置合わせ構造であって、前記香りカートリッジは、前記ハウジング内に少なくとも部分的に受容されるサイズであり、前記位置合わせ構造は、前記ハウジング内で活性化要素の組に対して規定された方位に温度活性化香り媒体を向けるか又は配置にするように、前記ハウジング内の相補的位置合わせ構造と協働的に連携する、  前記少なくとも１つの位置合わせ構造を更に含み得る。前記活性要素の組の前記活性要素の対応するものと熱伝導的に連結するように、行と列の秩序ある配列で前記基板上の平坦な面上で空間的に分散された少なくとも４つの前記温度活性化香り媒体であって、各前記温度活性化香り媒体は、各主軸を有し、各前記温度活性化香り媒体は、前記各主軸を、前記基板の前記平坦な面に垂直に延在させて配列され得る。前記温度活性化香り媒体が、香りタイプの取り決めに従う特定の順序で配置され得る。
【００１２】
香りカートリッジは、前記温度活性化香り媒体の少なくとも何れかと物理的に接触する金属箔であって、前記金属箔は、前記香りカートリッジが前記ハウジング内に少なくとも部分的に受容されるときに、前記温度活性化香り媒体を前記活性化要素の対応するものに熱伝導的に連結する、前記金属箔を更に含み得る。前記温度活性化香り媒体は、各揮発性、親油性又はオイルベースの香りの物質を含浸させたワックスの形態を取り得る。
【００１３】
香りカートリッジから香りを提供するための香り送達システムにおける動作方法であっは、前記香り送達システムにより、各香りを選択的に放出するある数の香り媒体を担持する香りカートリッジを取り外し可能に受容することと、前記香り送達システムにより取り外し可能に受容される前記香りカートリッジから機械可読情報を読み取ることと、前記香り送達システムにより、放出される香りの時間的シーケンスを特定する前記香り活性化情報の組を受信することと、前記香り送達システムの少なくとも１つのプロセッサにより、前記香りカートリッジが香り活性化情報の前記組に適切かどうか決定することと、前記香りカートリッジが香り活性化情報の前記組のために適切であることの決定に応答し、前記香り送達システムから香りを提供するように香り活性化情報の前記組に従う前記香り媒体を活性化することを有する方法として要約され得る。
【００１４】
方法は、前記香りカートリッジが前記香り活性化情報の前記組のために不適切であることの決定に応答し、前記香り送達システムから通知を提供することを更に含み得る。前記香り送達システムから通知を提供することは、通信的に連結された携帯電子デバイスのトランスドューサーに、少なくとも１つの視覚的、聴覚的、又は触覚的警告を提供させることを含み得る。前記香り送達システムから通知を提供することは、通信的に連結されたプロセッサ・ベースのデバイスにメッセージを送信することを含み得る。
【００１５】
方法は、前記香りカートリッジが香り活性化情報の前記組に不適切であることの決定に応答し、香り活性化情報の前記組により特定されるある数の空間的な位置に対応する前記香りカートリッジ内の前記香り媒体の空間的な位置により特定される順序で前記香り媒体を活性化することを更に含み得る。前記香り送達システムにより取り外し可能に受容される前記香りカートリッジから機械可読情報を読み取ることは、前記香りカートリッジに物理的に関連付けられた少なくとも１つの機械可読シンボルを光学的に読み取ることを含み得る。前記香り送達システムにより取り外し可能に受容される前記香りカートリッジから機械可読情報を読み取ることは、前記香りカートリッジに物理的に関連付けられた無線トランスポンダから情報を無線で読み取ることを含み得る。前記香り送達システムにより取り外し可能に受容される前記香りカートリッジから機械可読情報を読み取ることは、前記香りカートリッジに物理的に関連付けられた磁気ストライプから情報を磁気的に読み取ることを含み得る。前記香り送達システムにより取り外し可能に受容される前記香りカートリッジから機械可読情報を読み取ることは、前記香りカートリッジのカートリッジタイプを識別する識別情報を読み取ることを含み、前記カートリッジタイプは、同じカートリッジタイプを共有する全ての香りカートリッジにより放出可能な前記香りを示し得る。前記香り送達システムにより取り外し可能に受容される前記香りカートリッジから機械可読情報を読み取ることは、前記香りカートリッジにより放出可能な各香りを識別する識別情報を読み取ることを含み得る。前記香り送達システムにより取り外し可能に受容される前記香りカートリッジから機械可読情報を読み取ることは、他の複数の香りカートリッジのそれぞれから前記香りカートリッジを区別する識別情報を読み取ることを含み得る。
【００１６】
取り外し可能な香りカートリッジから香りを提供するための香り送達システムの動作方法は、選択的に固体又は半固体状態から液体状態へ変態可能であり、及び、選択的に固体又は半固体状態へ逆変態可能である、ある数の香り媒体を担持する香りカートリッジを前記香り送達システムにより取り外し可能に受容することと、制御サブシステムにより少なくとも１つの香りを放出する時間を設定する指示を受信することと、設定した時間が生じたことに応答し、前記ある数の香り媒体の少なくとも１つを、そこから各香りを選択的に放出させるように、前記固体又は半固体状態から前記液体状態へ変態させることと、その後、前記ある数の香り媒体の前記少なくとも１つを、そこからの各香りの放出を選択的に停止するように、前記液体状態から前記固体又は半固体状態へ逆変態させることを有する方法として要約され得る。前記ある数の香り媒体の少なくとも１つを、そこから各香りを選択的に放出させるように、前記固体又は半固体状態から前記液体状態へ変態させることは、前記ある数の香り媒体の前記少なくとも１つを加熱することを含み得る。前記ある数の香り媒体のそれぞれがワックス基板及び少なくとも１つの揮発性の香り物質を含み、前記ある数の香り媒体の少なくとも１つを、そこから各香りを選択的に放出させるように、前記固体又は半固体状態から前記液体状態へ変態させることは、前記ワックス基板を溶解し、前記揮発性の香り物質を揮発させるように、前記ある数の香り媒体の前記少なくとも１つを加熱することを含み得る。前記香り媒体はワックス基板を含むことができ、前記香りがコーヒーの香りであることができ、前記ある数の香り媒体の少なくとも１つを、そこから各香りを選択的に放出させるように、前記固体又は半固体状態から前記液体状態へ変態させることは、前記ワックス基板を溶解させ、前記コーヒーの香りを揮発させるように、前記ある数の香り媒体の前記少なくとも１つを加熱することを含み得る。少なくとも１つの香りを放出する時間を設定する指示を受信することは、前記香り送達システムとは別体の、前記香り送達システムに通信的に連結されたプロセッサ・ベースのデバイスから目覚まし時刻の指示を受信することを含み得る。
【００１７】
方法は、設定した時間が生じたことを、少なくとも１つのプロセッサにより決定することを更に含み得る。設定した時間が生じたことを、少なくとも１つのプロセッサにより決定することは、前記第１の設定した時間を、規定のタイムゾーンでの現実世界の時間を示す数値と比較することを含み得る。
前記ある数の香り媒体の少なくとも１つを、そこからの各香りの放出を選択的に停止するように、前記液体状態から前記固体又は半固体状態へ逆変態させることは、少なくとも１つのペルチェデバイスを介して前記ある数の香り媒体の少なくとも１つを能動的に冷却することを含み得る。
【００１８】
香り送達デバイスは、ハウジングであって、前記ハウジングの少なくとも一部が、プロセッサ・ベースの携帯デバイスの少なくとも一部を物理的に取り外し可能に受容するようなサイズ及び寸法にされており、前記ハウジングは、少なくとも１つの香り生成チャンバ、及び、ある数の消耗可能な香り媒体をそれぞれ担持する香り媒体カートリッジを取り外し可能に受容するようなサイズ及び寸法にされた少なくとも１つの香り媒体カートリッジレシーバーを有する、前記ハウジングと、ある数の各香り媒体の対応するものによって各香りを前記香り生成チャンバに放出させるように選択的に動作可能な香りアクチュエータと、プロセッサ・ベースの携帯デバイスと通信的に連結可能な前記香り送達デバイスの少なくとも一部を含むものとして要約され得る。前記ハウジングは、使用に際して、前記ハウジング内に受容される前記プロセッサ・ベースの携帯デバイスの周辺に固定的に係合する少なくとも１つの側壁を有する弾性シリコンスリーブであり得る。前記ハウジングは、使用に際して、前記ハウジング内に受容される前記プロセッサ・ベースの携帯デバイスの周辺に固定的に係合する少なくとも１つの側壁を有するハードシェルケースであり得る。香り送達デバイスは、前記香りアクチュエータが多数のペルチェデバイスを含み得る。
【００１９】
香り送達デバイスは、前記香りアクチュエータの動作を制御するために通信的に連結され、前記ハウジングに物理的に関連付けられる制御サブシステムを更に含み得る。
【００２０】
香り送達デバイスは、少なくとも、前記プロセッサ・ベースの携帯デバイスが前記香り送達デバイスの前記ハウジングにより受容されたときに、前記制御サブシステムと前記プロセッサ・ベースの携帯デバイスの間の通信を提供するように前記制御サブシステムに通信的に連結された通信サブシステム、を更に含み得る。前記通信サブシステムは、前記プロセッサ・ベースの携帯デバイスとの無線通信を提供するためのラジオを含み得る。前記通信サブシステムは、前記プロセッサ・ベースの携帯デバイスとの無線通信を提供するための有線通信ポートを含み得る。
【００２１】
香り送達デバイスは、前記ハウジングの少なくとも１つの通路内に香りの流れを生じさせるように選択的に動作可能な少なくとも１つのファンを更に含み得る。
【００２２】
香り送達デバイスは、生物学的対象の頭部に装着されるようなサイズ及び寸法にされた支持構造と、前記支持構造に物理的に連結されたハウジングであって、前記ハウジングは、少なくとも１つの香り生成チャンバ、及び、ある数の消耗可能な香り媒体をそれぞれ担持する香り媒体カートリッジを取り外し可能に受容するようなサイズ及び寸法にされた少なくとも１つの香り媒体カートリッジレシーバーを有する、前記ハウジングと、前記ある数の消耗可能な香り媒体の対応するものによる前記香り生成チャンバへの各香りの放出を生じさせるように選択的に動作可能な香りアクチュエータとを含み、前記香り送達デバイスの少なくとも一部がプロセッサ・ベースの携帯デバイスに通信的に連結可能であると要約し得る。前記香りアクチュエータは、複数のペルチェデバイスを含み得る。
【００２３】
香り送達デバイスは、前記ハウジングに物理的に関連付けられ、前記香りアクチュエータの動作を制御するために通信的に連結された制御サブシステムを更に含み得る。
【００２４】
香り送達デバイスは、少なくとも、前記プロセッサ・ベースの携帯デバイスが前記香り送達デバイスの前記ハウジングにより受容されるときに、前記制御サブシステムと前記プロセッサ・ベースの携帯デバイスの間の通信を提供するように前記制御サブシステムに通信的に連結される通信サブシステムを更に含み得る。前記通信サブシステムは、前記プロセッサ・ベースの携帯デバイスとの無線通信を提供するラジオを含み得る。前記通信サブシステムは、前記プロセッサ・ベースの携帯デバイスとの無線通信を提供する有線通信ポートを含み得る。
【００２５】
香り送達デバイスは、前記ハウジングの少なくとも１つの通路内に香りの流れを生じさせるように選択的に動作可能な少なくとも１つのファンを更に含み得る。
【００２６】
香り送達デバイスは、香りポートを有し、使用中にユーザの鼻の近くに香りを選択的に放出するための、前記香り生成チャンバから前記香りポートへの流体連絡パスを提供する少なくとも１つの導管を更に含み得る。
【００２７】
少なくとも１つのプロセッサ、及び、前記少なくとも１つのプロセッサと通信的に連結された非一時的プロセッサ可読メモリーを含むプロセッサ・ベースの携帯デバイスを用いて香りトラックを含む無線の香りメッセージを通信する方法は、前記少なくとも１つのプロセッサにより、香りトラックのライブラリーを前記非一時的プロセッサ可読メモリーに保存することと、前記プロセッサにより、特定の香りトラックの選択を受信することと、前記プロセッサにより、前記無線の香りメッセージを形成するように、テキスト部及び選択された目的地を有するメッセージに前記香りトラックをリンクすることと、前記プロセッサにより、前記無線の香りメッセージを、前記選択された目的地へのその後の送信のために無線送信機へ転送することを含むと要約され得る。前記香りトラックは、前記選択された目的地での香りシーケンスを減少させるための情報を含む香りトラックへのポインタであり得る。前記香りトラックは、前記選択された目的地で１つ以上の香りを送達するように活性化され得る１つ以上の消費可能な香り媒体のチップを識別し得る。前記香りトラックは、前記選択された目的地で１つ以上の香りを再生するための情報を含む消費可能な香り媒体のチップと関連づけられた機械可読コードであり得る。前記無線香りメッセージが、ショートメッセージサービス（ＳＭＳ）メッセージ、インスタントメッセージ、又は電子メール（ｅｍａｉｌ）メッセージのうちの１つとしてフォーマットされ得る。
【００２８】
方法は、前記香りトラックを示すアイコンを表示することと、前記無線の香りメッセージの一部として前記アイコンを送信することを更に含み得る。
【００２９】
方法は、前記香りトラックを示すオーディオトラックを再生することと、前記無線の香りメッセージの一部として前記オーディオトラックを送信することを更に含み得る。
【００３０】
携帯コンピューティングデバイスを使用して香りメッセージを生成する方法であって、前記方法は、香りトラックを選択することと、前記香りトラックの視覚的表示を提供するアイコンを選択することと、テキスト部の送信によって、前記香りメッセージとしてアイコン及び前記香りトラックも一緒に送信されるように、前記アイコン及び前記香りトラックを前記テキスト部と論理的に関連付けることを有すると要約され得る。
【００３１】
方法は、前記香りトラックの聴覚的表示を提供するオーディオトラックを選択することを更に含み得る。
【００３２】
方法は、前記香りメッセージの送信によって前記オーディオトラックも送信されるように、前記オーディオトラックを前記香りメッセージに論理的に関連付けることを更に含み得る。
【００３３】
方法は、グラフィカルユーザーインターフェイスを使用して［第２の？］香りトラックを構成することを更に含み得る。
前記オーディオトラックと同期された前記香りトラックの構成を容易にするように、グラフィカルユーザーインターフェイスが前記オーディオトラックのグラフを表示し得る。前記香りトラックは、香り転写のプロトコルに従い得る。前記香り転写のプロトコルは、ＭＩＤＩプロトコルであり得る。前記香りトラックは、調和した再生のために、前記オーディオトラックと同期され得る。前記香りトラックは、前記オーディオトラックに同期されることができ、前記オーディオトラックの構造転移に従い得る。前記構造転移が、オーディオトラック内の動的ピークであり得る。前記構造転移が、楽曲の構造転移であり得る。
【００３４】
プロセッサ、及び、前記プロセッサに通信的に連結された非一時的プロセッサ可読メモリーを含むプロセッサ・ベースの携帯デバイスを使用して無線の香りメッセージを受信する方法は、無線レシーバーを使用する無線メッセージの受信を感知することと、前記無線メッセージが香りトラックを含むか否か決定することと、前記無線メッセージが香りトラックを含む場合は、前記プロセッサにより、香りメッセージとしての前記メモリー内での記憶のために、前記無線レシーバーから前記プロセッサ可読メモリーへ前記無線メッセージを転送することと、前記プロセッサにより、前記香りメッセージの異なる構成部分をアイコン、テキスト、香りトラック、及び、オーディオトラックに構文解析することと、前記香りメッセージを読み取るためのユーザの入力に応答して、前記テキスト及び前記アイコンを表示することと、前記オーディオトラックを再生することと、前記香りトラックに従って１つ以上の香りを送達することを有すると要約し得る。前記香りトラックは、香りのシーケンスを再生するための情報を含む香りトラックであり得る。前記香りトラックは、香りのシーケンスを再生するための情報を含む香りトラックへのポインタであり得る。前記香りトラックが、１つ以上の香りを送達するように活性化され得る１つ以上の消費可能な香り媒体チップを識別し得る。
【００３５】
方法は、前記香りメッセージを受信したときに、ユーザに警告することを更に含み得る。
【図面の簡単な説明】
【００３６】
図面のいくつかの図の簡単な説明
【００３７】
図面中、同一の参照符号は、類似の要素又は行為を指す。図面中の要素のサイズ及び相対的位置は、必ずしも縮尺通りではない。例えば、多様な要素の形状及び角度は縮尺通りではなく、これらの要素のうちいくつかは任意に拡大され、図面視認性を向上させるように配置される。さらに、図示のような要素の特定の形状は、当該の特定の要素の実際の形状に関するいかなる情報を搬送することを意図しておらず、図面中の認識の容易さのためのみに選択されたものである。
【００３８】
【図１Ａ】１つの実施形態による、香りカートリッジの一部の上部等角図である。
【図１Ｂ】１つの例示の実施形態による、香りカートリッジレシーバー及び香りアクチュエーターの構造を示す香り送達デバイスのハウジングの一部の断面図である。
【図２Ａ】１つの実施形態による、香りカートリッジの等角図であり、光学的機械可読シンボルを含む。
【図２Ｂ】図２Ａに示す香りカートリッジの等角図であり、磁気ストライプのタイプを担持している。
【図３Ａ】図２Ａ及び図２Ｂに示す香りカートリッジの等角図であり、無線トランスポンダを担持している。
【図３Ｂ】無線周波数識別（ＲＦＩＤ）回路、チップ又はタグの形態の図３Ａの無線トランスポンダの平面図である。
【図４Ａ】１つの例示の実施形態による、香り送達システムにおける香りカートリッジの識別方法を示す流れ図である。
【図４Ｂ】１つの例示の実施形態による、香りカートリッジ内にある香り媒体の空間的に秩序のある配列を示す模式図である。
【図５】１つの例示の実施形態による、例えば、音アラームの代わりに、設定した時間が生じたことに応答する香り送達システムの透視図である。
【図６】１つの例示の実施形態による、図５の香り送達システムの動作方法を示す流れ図である。
【図７】１つの例示の実施形態によるネットワーク化サポートシステムのコンポーネントを示す機能ブロック図であり、当該ネットワーク化サポートシステムでは、１組の携帯電子機器（例えば、スマートフォン）及び各香り送達デバイスが香りメッセージングに携わることができる。
【図８Ａ】１つの例示の実施形態による、複数部分を有する香りメッセージの生成のために構成された携帯電子デバイスのスクリーンショットを、携帯電子デバイスに挿入するように配置された香りカートリッジの一部とともに示す。
【図８Ｂ】１つの例示の実施形態による、香りシーケンスの作成のためのユーザインターフェイスを示す携帯電子デバイスの平面図である。
【図９】１つの例示の実施形態による、香りメッセージの組み立て方法を示す流れ図である。
【図１０Ａ】１つの例示の実施形態による、スマートフォンケースとして実施される香り送達デバイスの電子及び／又は電気的コンポーネントを示す分解斜視図である。
【図１０Ｂ】図１０Ａに示す香り送達デバイスの底面の絵画的斜視図である。
【図１０Ｃ】弾性スマートフォンケースとして実施される香り送達デバイスに受容される携帯電子デバイスの絵画的斜視図である。
【図１１】１つの例示の実施形態による、香り送達デバイスのハウジング内の電子及び／又は電気的コンポーネント間の配置及び相互接続を示す機能ブロック図である。
【図１２】１つの例示の実施形態による、香り送達システムの動作方法を示す流れ図である。
【図１３Ａ】１つの例示の実施形態による、ユーザ又は個人により装着された香り伝達デバイスの模式図である。
【図１３Ｂ】図１３Ｂの香り送達デバイスの拡大図と模式図である。
【発明を実施するための形態】
【００３９】
詳細な説明
以下の記載において、多様な開示の実施形態の深い理解を提供するために、いくつかの特定の詳細について説明する。しかし、当業者であれば、これらの特定の詳細のうち１つ以上無しに又は他の方法、コンポーネント、材料などと共に実施形態が実施され得ることを認識するであろう。他の例では、マイクロコントローラ、ペルチェデバイス、ＤＣ／ＤＣコンバータなどの電源、無線通信（すなわち、トランスミッタ、レシーバー又はトランシーバ）、クライアント及びサーバーコンピューティングシステム、及びネットワーク（例えば、セルラー、パケット切り換え）を含むコンピューティングシステムならびに他の通信チャンネルと関連付けられた周知の構造については、実施形態の記載を不必要に不明瞭にしないために、詳細を図示又は記載していない。
【００４０】
文脈が異なることを求めない限り、本明細書中及びそれに続く特許請求の範囲を通して、「ｃｏｍｐｒｉｓｅ（有する）」という語及びその変化形（「ｃｏｍｐｒｉｓｅｓ」及び「ｃｏｍｐｒｉｓｉｎｇ」）は、開放の包含的な意味（すなわち、「非限定的に含む」）として解釈されるべきである。
【００４１】
本明細書を通して、「一実施形態」又は「ある実施形態」への言及は、当該実施形態に関連して記載される特定の特徴、構造又は特性が少なくとも１つの実施形態に含まれることを意味する。よって、本明細書を通して、「一実施形態において」又は「ある実施形態において」という文言の記載は、必ずしも同じ実施形態を指すものではない。さらに、特定の特徴、構造又は特性は、１つ以上の実施形態において任意の適切な様態で組み合わせられ得る。
【００４２】
本明細書及び添付の特許請求の範囲において用いられるように、単数形の「ある」、「１つの」、「その」等（「ａ」、「ａｎ」及び「ｔｈｅ」）は、文脈が明らかに他様のことを求めない限り、複数の指示物を含む。「又は」という用語は、文脈が明らかに他様のことを求めない限り、「及び／又は」を含む意味として一般的に用いられる点にも留意されたい。
【００４３】
本明細書中に記載される見出し及び開示の要約は、ひとえに便宜上のものであり、実施形態の範囲又は意味を説明するものではない。
【００４４】
図１は、１つの実施形態による、香りカートリッジ１００を示す。香りカートリッジ１００は、平坦面１０３及び温度活性化香り媒体（温度活性化香り媒体）１０４（４つを図示）を有する複数のスロット１０５をもつ基板１０２を含む。香り媒体１０４は、例えば行と列の秩序のある配列で、平坦面１０３上で空間的に分散され得る。個々の温度活性化香り媒体１０４は、平坦面１０３に垂直な各主軸１０６（２つを図示）に沿って向けられる。香りカートリッジ１００あたりに４つのチップ又はパッチの香り媒体１０４を持つものとして示されているが、本願記載のように、香りカートリッジ１００は、より多数又はより少数の香り媒体のチップ又はパッチを有し得る。更に、香り媒体１０４は、ペルチェデバイス又は他の香り放出アクチュエータと概略合う、又は、一致する任意の所望のレイアウトや配置でカートリッジ１００上にレイアウト又は配置することができる。
【００４５】
各温度活性化香り媒体１０４は、熱処理により基板から選択的に放出され得る少なくとも１つの揮発性香り物質を含浸させた基板（例えば、パラフィンワックス基板）を含む。パラフィンワックスは、比較的低い融点と、自然でニュートラルな香りを有し、香り媒体のための優れた選択になる。揮発性の香り物質は、例えば、親油性又はオイルベースの香りの原料とすることができる。香り媒体１０４は、いくつかの刺激に応答して香りを保持及び選択的に放出することが可能な多種多様な材料の形態をとり得る。
【００４６】
香り媒体１０４は、パラフィンワックスを溶融し、液体形態（例えばエッセンシャルオイル）の親油性香りを添加することによって製造することができる。一般的に、パラフィンワックスに対する液体の香りの飽和率は６６?１００ｍＬ／ｋｇである。香り媒体１０４は、肉薄シート（例えば、１〜５ｍｍ厚）に中へ注がれて、冷却され得る。シートは、次いで、各キャリアに配置するために、切断又は他の方法でチップに分割することができる。
【００４７】
香り媒体１０４はまた、好ましくは、刺激又は香りの放出を引き起こした刺激の除去に応答して香りの放出を停止することが可能であるべきである。刺激は、熱の付加、熱の除去、電流、電圧、圧力、振動動き又はエネルギー（例えば、超音波振動）の付加、電磁エネルギー（例えば、赤外光、紫外光、マイクロ波）の付加、又はさらには膜（例えば、セルフシーリング膜）、ブリスター、小型用器又は他の可壊構造の選択的な破裂、破壊又は貫通を含み得る。
【００４８】
選ばれた１つの温度活性化された香り媒体１０４が加熱されるとき、固体又は半固体のワックス基板は香りを放出し、及び、任意的に香り物質を揮発させつつ液化する。溶けたワックスが冷えるにつれて、このような基板の相変態は逆転し、それにより、ワックス基板が元の固体又は半固体状態に戻り、香りの放出を停止させる。冷却プロセスは受動的に、又は基板の能動的な冷却により生じ得る。下記記載の通り、１つ以上の活性化要素１１２は、１つ以上のペルチェデバイスの形態を有利にとることができる。ペルチェデバイスは、逆極性の電圧印加を介する温度活性化香り媒体１０４の能動的な加熱及び能動的な冷却の両方を有利に可能にする。
【００４９】
典型的には、各香り媒体１０４は、例えば、コーヒーロースターからの４つの異なるコーヒーの香り、香料メーカーからの４つの異なる香水の香り、４つの異なるチョコレートの香り、又は４つの無関係な香りなど、異なる香りを担持する。代替的には、揮発性物質は消耗可能であり、有限の寿命を有するので、香りカートリッジ１００は、例えば、異なる香りを担持する２つの香り媒体及び２つのバックアップ香り媒体を含み得る。
【００５０】
図１Ｂに示すように、香りカートリッジ１００は、一実施形態によれば、機械的に物理的に取り外し可能にハウジング１１０に連結される。香りカートリッジ１００は、そのような連結を容易にするために、香りカートリッジ位置合わせ構造１０８を含むことができる。香りカートリッジ位置合わせ構造１０８は、ハウジング１１０内の相補的位置合わせ構造１１１と協働的に連携することができる。位置合わせ構造１０８，１１１は、そして、活性化要素１１２の組に対して規定された位置又は方位に香りカートリッジ１００を保持するように協働する。位置合わせ構造１０８，１１１は、相補的な形状を有する壁、隆起部、キー、くぼみ等の形態を取り得る。位置合わせ構造１０８，１１１間の相互作用は、香りカートリッジが誤った位置や向きに装荷されるのを防ぐ。香りカートリッジ１００は、スロット１０５が、スロット１０５内に含まれる香り媒体のさまざまなピース間の分離を確実にするように垂直に向けられ得るように、ハウジング１１０に連結され得る。位置合わせ構造の一実施形態は、図２Ａ及び図２Ｂに示すように、香りカートリッジ１００が、固有のスロット１０５ａによってある回転方向にキー固定されるように、他のスロット１０５とは異なる形状を有する固有なスロット１０５ａの形態であってもよい。このようなキー固定により、香りカートリッジ１００の製造者が、固有なスロット１０５ａに対して、スロット１０５を相互から区別することができ、そのため、製造者がある順序でスロットに香り媒体を装荷することができる。
【００５１】
ハウジング１１０は、ともに、その全体が参照により本明細書に組み込まれる米国仮特許出願番号第６１／７９２，７１６号及び米国仮特許出願番号第６１／８１７，１８０号に記載されるように、香りチャンバを含む専用の装置とすることができる。代替的には、ハウジング１１０は、以下に記載のように、携帯電話のケース（この場合、ケース自体が香りチャンバとして機能する）などの付属品の形態であり得る。ハウジング１１０は、多種多様な形状をとることができ、ハウジング内の様々な部品への環境保護を提供することが主に意図される。ハウジング１１０の形状は、限定的なものと考えられるべきでない。同様に、ハウジング１１０は、多様な材料から形成され得る。例えば、ハウジング１１０は、アルミニウムなどの金属によって形成され得る。金属は、折り畳まれ、溶接され、及び/又は、機械加工され得る。代替的には、ハウジング１１０は、例えば、ＡＢＳ又はポリカーボネートプラスチックなどの１つ以上のプラスチックによって形成され得る。プラスチックは、ハウジング１１０を形成するように射出成形又は真空成形され得る。ハウジング１１０を材料から形成するために用いられる材料又はプロセスの種類は、限定的なものとしてみなされるべきではない。ハウジング１１０は、例えばユーザが１つ以上のコンポーネントを補修することを可能にするための、ユーザが取り外すことが可能なカバー（図示せず）を有し得る。代替的には、ハウジング１１０は、ユーザが内部コンポーネントへアクセスすることを回避又は阻止し得る。ハウジング１１０は、対流熱伝達を介した冷却を可能にするための複数の通気孔を含み得る。
【００５２】
ハウジング１１０は多数のポートを含み得る。例えば、ハウジング１１０は、香りカートリッジ１００を取り外し可能に受容するサイズ及び寸法にされた香りカートリッジレシーバー１１３を含むことができる（図１Ａ）。代替的には、香りカートリッジ１００は、嗅覚カードの形態であってもよく、対応する香りカートリッジレシーバー１１３は、ＳＤカード及び類似の不揮発性媒体を多様なコンシューマ電子デバイス内に取り外し可能に受容するために用いられる構造と構造、サイズ及び／又は寸法が類似し得るスロットの形態であってもよい。香りカートリッジレシーバー１１３は、香りカートリッジ１００を香りキャリアレシーバー１１３から選択的に射出するように動作可能な射出機構を含み得る。射出機構は、多数のコンシューマ電子デバイスに見受けられるＳＤカードレシーバーと共に用いられる射出機構と類似するか又は同一でさえあり得る。
【００５３】
香りカートリッジは、ハウジング１１０の香りカートリッジレシーバー１１３に取り付けられると、香り媒体１０４の活性化は、ハウジング１１０に装着された活性化要素１１２に香りカートリッジ１００を熱伝導的に連結することによって達成され得る。香りカートリッジ１００の活性要素１１２への伝導的連結は、温度活性化香り媒体１０４及び各活性要素１１２の一方又は両方と物理的に接触している伝導伝達層１１４（例えば、アルミニウムホイル、銅テープのような金属層）によって任意的に増強することができる。伝導伝達層１１４は、香りカートリッジ１００が、ハウジング１１０内に少なくとも部分的に取り込まれたときに、活性化が開始することを許容する。伝導伝達層１１４は、活性要素１１２（例えば、ペルチェデバイス（単数又は複数））を香り媒体１０４又は香りカートリッジ１００に熱伝導的に連結し得る。
【００５４】
活性化要素１１２は、選択的に香りを放出するように、香り媒体１０４を能動的に加熱し得る。例えば、活性要素１１２は、香りを含有し、又は、組み込んだ他の物質又はワックスなどの基板材料を加熱してこれを溶融又は部分的に溶融することができ、その結果、香りを放出し、任意的に揮発することができる。活性要素１１２は、ペルチェデバイスとして実施される場合、香りの放出を防止し、又は、選択的に停止するために香り媒体１０４を能動的に冷却することができる。（他のタイプの活性要素もペルチェデバイスの代わりとして潜在的に使用され得るが、以下、「活性要素」及び「ペルチェデバイス」の語は、互換的に使われる。）例えば、ペルチェデバイス１１２は、ワックス又は他の物質を凝固するためにこれらを冷却し、その結果香りの放出を停止させ得る。それが所望される場合は、香り媒体の受動的な冷却を許容するように、ペルチェデバイス１１２は、オフにさえされ得る。ペルチェデバイス（単数又は複数）１１２の動作は、能動的な加熱を引き起こすための第１の電圧と、能動的な冷却を引き起こすための第１の電圧と反対の第２の電圧の電流の付加により、制御される。ペルチェデバイス１１２は、個々に作動（すなわち、加熱、冷却）され得る。代替的に又は追加的に、ペルチェデバイス１１２の２つ以上を一斉に（すなわち、時間的に少なくとも部分的に重複して）又は同時にさえ活性化され得る。ペルチェデバイス１１２の合計数及び空間レイアウトは所望される任意の方法に変更可能であるが、一斉に動作させることが可能なペルチェデバイス１１２の数は、利用可能な出力に依存し得る。そのため、電源及び／又は電源のパラメータは、ペルチェデバイス１１２の動作を制限し得る。
【００５５】
活性要素１１２は、ヒートシンク１１６を含み得るか又はヒートシンク１１６に熱伝導的に連結され得る。このようにすることにより、冷却動作時におけるペルチェデバイス（単数又は複数）１１２からの熱移送が促進される。ヒートシンク１１６は、熱を迅速に吸引及び吸収することができる、好適には大型のサーマルマスである。ヒートシンクは、金属のブロックの形態をとり得る。熱ペーストが、ヒートシンクの表面及びペルチェデバイスとの間に用いられ得る。ヒートシンク１１６は、対流及び／又は放射熱移送を促進するように、その体積と比較して比較的大きな表面積を有する畳み型熱伝達表面１１８（例えば、フィン、ピン）を含み得るか又はそのような畳み型熱伝達表面１１８へ熱伝導的に連結され得る。
【００５６】
図２Ａを参照すると、香りカートリッジ１００は、基板１０２上又はさもなければ基板１０２と物理的に関連付けられた機械可読識別構造１１８を担持し得る。例えば、図２Ａは、光学的に読み取り可能な機械可読シンボル１２０（例えば、一次元又は線形バーコードシンボル、２次元領域又はマトリックスシンボル）の形の機械可読識別構造１１８を示す。図２Ｂは、磁気ストライプ１２２の形態の機械可読識別構造１１８を示している。図３Ａは、無線トランスポンダ１２４、例えば、無線、無線周波数識別（ＲＦＩＤ）回路、チップ又はタグの形態の機械可読識別構造１１８を示している。図３Ｂに示すように、無線トランスデューサ１２４は、集積回路チップ１２６ａ及び集積回路チップ１２６ａに通信的に連結されたアンテナ１２６ｂを含み得る。代替的には、機械可読識別構造１１８は、香りカートリッジ１００の少なくとも一部により担持された他のタイプの機械可読データキャリアであり得る。例えば、香りカートリッジ１００は、ヒト可読のカートリッジのタイプの識別を提供するように、色コード化され得る。このように、香りカートリッジ１００の各タイプは、それぞれの色で識別され得る（例えば、コーヒーに対して茶色、ワインに対して赤色、香水に対して黄色）。香り送達システムは、色を検出し見分けることができる光学センサ又はトランスデューサ（例えば、ＣＭＯＳカラーセンサ）を含み得る。香り送達システムは、光学センサ又はトランスデューサの視野内にある香りカートリッジの一部を照らすように配置された光源（例えば、ＬＥＤ）を含み得る。そのようなものは、香り送達システムが、色に基づいて異なるタイプの香りカートリッジを認識し又は区別することを可能にし得る。タイプは、それぞれの香りカートリッジによって担持された特定の香りを示し得る。このようにして、色は、ヒト可読及び機械可読の識別子の両方の役目を有利に果たす。
【００５７】
機械可読識別構造１１８は、温度活性化香り媒体１０４のそれぞれの対応する香りを識別し、又は、識別を可能にする機械可読情報を提供する。この情報は、香りカートリッジ１００を識別する香りカートリッジタイプ識別子を含むことができ、それぞれの香りカートリッジタイプは、例えば、製造業者及び/又はモデルである。同じ組み合わせの香りを放出するすべての香りカートリッジ１００は、共通の香りカートリッジタイプ識別子で識別される。例えば、業者はコーヒー風味の新しい商品系列を宣伝するために、香りカートリッジ１００を大量生産し得るが、そこでの新しい商品系列の香りカートリッジ１００は全て同じ情報（例えば、機械可読シンボル又はＲＦＩＤタグ）をもつ。このような情報は、過去の広告キャンペーンで出されたものから現在のタイプの香りカートリッジ１００を区別することができる。このような情報は、チョコレートやワイン関連の香りをもつものからコーヒー関連の香りをもつ香りカートリッジ１００を区別することができる。このような情報は、第一の組み合わせと異なる香水関連の香りの第二の組み合わせをもつものから香水関連の香りの第一の組み合わせをもつ香りカートリッジ１００を区別することができる。追加的に又は代替的に、機械可読情報は、香りカートリッジ１００に含まれる温度活性化香り媒体１０４のそれぞれについて個別の香りを指定することができる。又は、機械可読情報は、同じタイプのものを含む他のすべての香りカートリッジ１００から特定の香りカートリッジ１００を一意に識別することができる。
【００５８】
図４Ａは、１つの例示の実施形態による、上記した機械可読識別構造１１８から情報を読み取ることを含む香り送達システム４００の動作方法を示す。香り送達システムは一般的に、ハウジング１１０内に、プロセッサ・ベースの制御サブシステム１２８を含む。このような制御サブシステム１２８は、図１Ｂに示す実施例には明示的に示されていないが、制御サブシステム１２８は、後述する図１１に示す携帯電話のケースの実施例で示される。
【００５９】
方法４００は、例えば、香り送達システムの活性化又はオン切替に応答して、４０１で開始する。
【００６０】
４０２で、例えば、ユーザが香りカートリッジ１００をハウジング１１０上の香りカートリッジレシーバー１１３に差し込むときに、香りカートリッジ１００は、香り送達システムによって取り外し可能に受容される。
【００６１】
４０４で、リーダ又は他のトランスデューサは、香りカートリッジ１００と物理的に関連付けられた機械可読ＩＤ構造１１８（例えば、無線トランスポンダ／ＲＦＩＤタグ１２４）から情報を読み取り、又はさもなければ、感知する。情報は、香り送達システムのハウジング１１０に組み込まれている、例えば、ＲＦＩＤリーダ又はインテロゲータで読み取られ得る。香りカートリッジ１００が機械可読なシンボルを持つ場合には、情報を読み取るためにハウジング１１０内に設けられた光学的機械可読シンボルリーダ（例えば、走査レーザータイプ、画像タイプ）が使用され得る。香りカートリッジ１００が磁気ストライプをもつ場合には、磁気ストライプを読み取るためにハウジング１１０内に設けられた磁気リーダが使用され得る。出願人は、このような例示したタイプの機械可読識別フォーマット及び関連する読み取りハードウェアが、香りカートリッジ１００及び香り送達システムの製造の標準になり得ると考える。したがって、実施形態は、上記したＩＤフォーマット又はフォーム及び関連するハードウェアの例に限定されない。例えば、香りカートリッジ又はその部分の物理的形状は、情報をコード化し得る。例えば、外形や周辺の形状（例えば、円形、正方形、六角形）は、香りカートリッジのタイプを示すことができ、そのため、香り又は香りカートリッジ１００によって運ばれる香りのタイプの何らかの識別を提供することができる。ＩＤ構造１１８によって担持される識別情報の読み取りでは、リーダは、香りカートリッジのタイプの同一性、特定の香りカートリッジ１００そのものの同一性、香りカートリッジ１００から放出され得るそれぞれの香りの同一性、又は、香りカートリッジ１００によって担持される香り媒体の各ピースの同一性を決定し得る。
【００６２】
４０６で、香り送達システムは、香り活性化情報（例えば、命令）を受信する。香り活性化情報は、例えば、スマートフォンなどの携帯コンピューティングデバイスなどの外部ソースから来ることができる。命令は、望ましくは、機械可読識別構造１１８に含まれる情報によって認識される香りカートリッジ１００又は香りカートリッジ１００のタイプを特定する。命令はまた、選択された時に一つ又は複数の異なる香り媒体１０４を活性化するための活性化シーケンスを特定する香りトラックを含み得る。香りのトラックは、単一の、有限の時間間隔だけ活性化される単一の香りほどに短くすることができ、又は、長い香りシーケンスとすることもできる。
【００６３】
４０８で、香り送達システムは、香りカートリッジレシーバー１１３にインストールされた香りカートリッジ１００が活性化情報の組のために適切か否かを判断する。つまり、香りを活性化するための命令が、所望の、又は、意図した通りに実行され得るように、機械可読ＩＤ構造１１８を読み取ることによって得られる情報が受け取った命令によって特定された情報と一致するか否かである。
【００６４】
４１０で、香りカートリッジ１００が正しいと判断されれば、活性化要素１１２は、香り活性化命令に従って香りを放出するように活性化される。
【００６５】
４１２で、香りカートリッジ１００が香り活性化情報に不適切と判断された場合は、香り送達システムはユーザに警告を送信し得る。警告は、トランスドューサーを介して送達され得る視覚的、聴覚的、又は触覚的メッセージの形態をとり得る。トランスドューサーは、携帯電子機器の一部であり得る。例えば、香り送達システムは、香り送達システムに通信的に連結されたスマートフォンなどのプロセッサ・ベースのデバイスにメッセージを送信することによって、ユーザに通知を提供し得る。メッセージは、テキストメッセージ又は電子メールメッセージであり得る。追加的に又は代替的に、このような通知の送達は、トランスデューサに点滅光、警告音、又は振動警告、又はそれらの組み合わせを提供させ得る。トランスデューサは、香り送達システム又はデバイスの一部、香り送達システム又はデバイスが連結されたスマートフォンの一部、又は、例えば、ユーザのコンピュータなどのリモートデバイスであり得る。
【００６６】
４１４で、香りカートリッジ１００が香り活性化情報に不適切であると判断された場合、追加的に又はユーザに警告する代わりに、香り送達システムは、香りカートリッジ１００内の香り媒体の空間的な位置により特定される順序で温度活性化香り媒体１０４を活性化さえし得る。図４Ｂを参照すると、香りカートリッジの製造のために規則が確立されることができ、そこでは、香りがある空間位置（例えば、スロット１０５）に配置され、及び、分類され得る。例えば、ジェネリックに認識可能である固有のスロット１０５ａがスロットＡとして指定され、他のスロットが、反時計回りで図４Ｂに示すように、Ｂ、Ｃ及びＤとして指定されるように、規則が規定されていると想定する。この規則に従えば、香りカートリッジ１００で供給される香りは、共通の属性に応じて、ある順序でカートリッジに装荷され得る。例えば、スロットＡが「覚醒」に関連する香りに指定されることができ、したがって、コーヒーの香り（又は４つのコーヒーの香りの中でも最も強いコーヒーの香り）が優先的にスロットＡに装荷され得る。スロットＢは、「安定性」（例えば、アップルパイの香り）に関連する香りを指定され得る、等々である。このように、意図した香りカートリッジ１００が利用できない場合でも、意図した嗅覚経験に近似させるように、香りトラックは、特定された順序で「再生」され得る。このように、規則が上記のように採用される場合、意図された香りカートリッジ１０１の効果と類似した心理的効果に関連付けられた、類似した香りカートリッジ（又は、もちろん、任意の香りカートリッジ）で供給される香りは、選択された香りトラックをほぼ再生するために十分であろう。
【００６７】
図５は、香りがタイマーに従って放出される、１つの例示の実施形態に従う、香り送達システムを示す。このような実施形態は、香りベースのアラームクロックシステム５００と呼び得る。香りベースの“アラームクロック”システム５００は、ハウジング１１０、及び香りカートリッジ１００を受容するためのその内部コンポーネント（例えば、相補的位置合わせ構造１１１を有する香りカートリッジレシーバー１１３、ペルチェデバイスの形態の活性化要素１１２、金属箔１１４、等）を含み、任意的に、上記したように香りカートリッジ１００を識別する。
【００６８】
１つの実施形態では、香りベースのアラームクロックシステム５００は、アンテナ５０１により示される従来のＡＭ/ＦＭラジオ放送受信機を含む。香りベースのアラームクロックシステム５００は、アンテナ５０２により示される短距離データ転送のための第２の内蔵されたワイヤレスレシーバー（例えば、Ｂｌｕｅｔｏｏｔｈ（登録商標））を含む。更に、香りベースのアラームクロックシステム５００は、携帯電子デバイス５０４（例えば、スマートフォン又はＭＰ３プレーヤー）に物理的及び電気的に連結するドッキングステーション５０３を含み得る。このようにして携帯電子機器５０４は、ドッキングステーション５０３又はＢｌｕｅｔｏｏｔｈ（登録商標）無線経路の何れかを介して香りトラックを香りベースのアラームクロックシステム５００へ送信又は転送し得る。
【００６９】
香りベースのアラームクロックシステム５００の外部の特徴は、香りがハウジング１１０から逃れることができるようにハウジング１１０にベント５０６を含む。ベント５０６は調整可能であり、調整制御５０８はベント５０６を選択的に開閉させ得る。調整可能なベント５０６は、ハウジング１１０の内部と周囲環境との間に流体連結を提供する。このようなことは、例えば、香り（単数又は複数）を空気からフィルタリングした後に、ハウジング１１０から空気を追い出す又は放出するために使用され得る。ベント５０６を介した流体連結は、例えば、プログラム化された値を介し、自動制御のために、又は、マニュアル制御５０８のような他の構造を介して、選択的に制御可能であり得る。いくつかの実施形態では、ベント５０６は、空気を引く又は追い出す又は放出するの何れかのための吸気又は排気の何れかとして作用し得る。排気ベントとして用いられる場合は、調整可能なベント５０６は、香りのついた空気を周囲環境に追い出す又は放出し、ユーザに香り（例えば、意図的に香りづけされた空気）を提供する。
【００７０】
このような特徴は、香りベースアラームクロックシステム５００のハウジング１１０に関連する他のコンポーネントと共に、特に指定はない場合は、図１Ａ−１Ｂに関連して、又は、米国仮出願番号６１／７９２，７１６及び６１／８１７，１８０で提供される説明と一般的に一貫する。
【００７１】
香りベースアラームクロックシステム５００は、更に、香りベースアラームクロックシステム５００が位置するタイムゾーンで与えられる現在の“現実世界（read-world）”の時刻を視覚的に表示するディスプレイ５１０（例えば、ＬＥＤ、ＬＣＤ）を含む。香りベースアラームクロックシステム５００は、一般的にクオーツ動作を有する従来のクロック回路（図示せず）もまた含み得る。ディスプレイ５１０は、従来のアラームクロックのアラーム機能とも調和する、時間設定及び１つ以上のアラーム設定の装置（アナログ又はデジタル）を含むアラーム機能に関連付けられたインジケーター又はアイコンを有する。ディスプレイ５１０は、タッチセンサー式であり、ユーザが時間及び／又はアラーム機能又はモード（例えば、香りだけ、香り及び音、香り及び視覚、香り、音及び視覚、ブザー、ラジオ、アラーム音源としてのＭＰ３プレーヤー）を設定するためにインジケーター又はアイコンが選択可能であり得る。ディスプレイ５１０は、任意的に、物理的にハウジング１１０に連結される。アラーム状態がハウジング１１０の活性化要素１１２へのクロック回路からの電気信号の送信をトリガするように、ディスプレイ５１０は、選択的に電気的にハウジング１１０に連結される。ディスプレイ５１０及び／又はハウジング１１０は、時間及び／又はアラーム機能又はモードを設定するために選択可能なスイッチ及びボタンを含み得る。
【００７２】
香りベースアラームクロックシステム５００は、可聴及び／又は視覚的アラームに代わって、有利にユーザに香りを提供するように動作され得る。代替的に、香りは可聴及び／又は視覚的アラームと共に提供され得る。可聴アラームは、例えば、ブザー又は音、ＭＰ３プレーヤーからの音楽又は音、又は、放送源からの音（例えば、地上波ラジオ、衛星ラジオ）を含む多様な形態の何れかの形態をとり得る。
【００７３】
図６は、１つの例示の実施形態による、香りベースアラームクロックシステム５００の動作方法６００を示す。
【００７４】
６０２で、香りベースアラームクロックシステム５００は、香りカートリッジ１００を受容する。例えば、ユーザは、香りカートリッジ１００をハウジング１１０の香りカートリッジレシーバー１１３へ差し込み得る。
【００７５】
用語“アラーム”は本明細書中で使用されているが、出願人は、香り送達は従来の可聴アラームとは根本的に異なることを強調する。注目すべき点は、淹れたてのコーヒーの香りでユーザを起こすか、又は、焼きたてのパン又は他の食品の香りでユーザーを食事に呼び集めるかかに関わらず、香り送達は、ユーザの注意を引く不快感がより少なく及びより賢い方法である。
【００７６】
６０４で、香りベースのアラームクロックシステムは、香り“アラーム”の設定した時間を受信する。香りアラームは、アラーム設定装置を経由してユーザにより手動で設定され得る。追加的に又は代替的に、香りアラームは遠隔的にプログラムされ（例えば、スマートフォンを経由する）、及び無線接続（例えば、Ｂｌｕｅｔｏｏｔｈ（登録商標）接続）又は有線接続（例えば、ドッキング・ステーション経由）を経由して通信され得る。香りアラームは、可聴アラームと同時に起じても、同時に起きなくてもよい。香りベースのアラームクロックシステム５００は、例えば、可聴アラーム（例えば、ブザー）、オーディオ再生アラーム（例えば、音楽）、及び香りアラームのように、複数の警告タイプに対して個別のアラーム状態を有するようにプラグラム又は手動で設定され得る。
【００７７】
６０５で、香りベースのアラームクロックシステム５００中のプロセッサは、例えば、クロックの時間（例えば、規定のタイムゾーンにおける現実世界の時間）をアラームに設定した時間と比較するなど、いつアラーム状態が成立したか決定する。
【００７８】
６０６で、アラーム状態が成立したとき、通常の可聴の目覚ましアラームをトリガすること代わりに、又は、それに追加して、電気的信号が香り構造（例えば、ペルチェデバイス（単数又は複数））を介して１つ以上香り媒体１０４の加熱を引き起こす。
【００７９】
６０８で、加熱は、少なくとも一つ選ばれた香り媒体１０４のワックス基板を、固体又は半固体形態から相転移を通じて液体状態へ変態させる。加熱は任意的に香りの原料を揮発させ得る。香りはベント５０６を通じて放出される。このようにして、香りアラームクロックシステム５００は、例えば、淹れたてのコーヒー及び／又はシナモンロールの匂いで、例えば、ユーザを起こし得る。このことは、ユーザの近くに実際にコーヒーがあるか否か、又は、実際にシナモンロールがあるか否かと独立であり得る。
【００８０】
１つの実施形態では、香りアラームクロックシステム５００は、携帯デバイス５０４及び標準的な香り送達システムを用いて実施され得る（図１Ｂ）。例えば、クロックの時間調整及びアラーム機能は、香り送達システムに信号を提供する携帯デバイス５０４を通じて実施される。更に他の実施形態では、香りアラームクロックシステム５００は、クロックの時間調整やアラーム機能が携帯デバイス５０４を通じて実施される、後述の携帯デバイスの形態である分離した香り送達システム及び携帯デバイス５０４を用いて実施され得る。
【００８１】
香りが継続的に放出されるか又は香りトラックに従って放出され得るある時間間隔が経過した後、６１０で冷却が開始し得る。例えば、ヒーターがオフにされたとき、温度活性化香り媒体１０４の加熱を単に止めることによるなど、冷却は受動的な冷却であり得る。代替的には、冷却は、温度活性化香り媒体１０４からの熱を能動的に移動してその温度を下げように逆極性信号を１つ以上のペルチェデバイスへ送信することにより開始される能動的な冷却であり得る。香り媒体１０４の温度が下がるにつれて、ワックス基板（単数又は複数）は、液体形態から固体又は半固体形態へ変化し、選択的に香りの放出を止める。
【００８２】
図７は、１つの例示的実施形態による、遠隔のユーザが相互に香りを共有するために使用され得る香り伝達システム７００を示す。このようなユーザは、例えば、香水販売会社、コーヒーロースター又は販売会社、チョコレート製造者又は販売会社、ワイナリー又はワイン販売者、及び、それらの既存又は潜在的なクライアントなどの業者を含み得る。１つの実施形態によれば、香りメッセージングシステム７００は、無線通信パス７０４及び７１４を通じてそれぞれの香り生成ユニット７１６及び７１８と無線で通信し得る携帯デバイス７０２及び７１２を含む。携帯デバイス７０２及び７１２もまた、無線通信パス７０６及び７１０及び通信ネットワーク７０８（例えば、インターネット）を介して無線で相互に通信し得る。
【００８３】
１つの実施形態では、香りメッセージ７２０は、香りトラック７２６を含み得る。同メッセージ７２０は、１つ以上のテキスト部７２２及び／又はオーディオトラック７２４もまた任意的に含み得る。基本的な香りトラック７２６は、ある時間間隔で香りメッセージングシステム（例えば、７１６又は７１８）により放出されるべき香りシーケンスを指定する。時間間隔は、例えば、何らかの開始時間からのオフセット又は継続時間として表され得る。香りトラック７２６は、オーディオトラック７２４と同期され得る。香りメッセージ７２０は、テキスト部７２２、オーディオトラック７２４、及び／又は香りトラック７２６を保存するための複数のフィールドを有する記録の形態で非一時的デジタルメモリーで保存され得る。香りトラック７２６のフィールドは、香り、時間間隔（例えば、継続時間、オン／オフ時間）、及び／又は温度を特定し得る。香りトラック７２６のフィールドは、香りカートリッジ１００の場所により一般的に特定の香りを指定し得る。香りトラック７２６のフィールドは、その機械可読ＩＤ１１８により香りカートリッジ１００を特定し得る。
【００８４】
携帯デバイス７１２上のユーザインターフェイス（ＵＩ）を用いた香りメッセージ７２０の作成は、ａ）香りトラック７２６の作成、ｂ）オーディオトラック７２４の選択、ｃ）テキストメッセージ７２２の書き込み、及び／又はｄ）受信者又は目的地アドレス（例えば、ｅｍａｉｌアドレス）の特定のうちの少なくとも２つを伴う。図８Ａは、オーディオトラック７２４と同期された香りトラック７２６の作成のため専用のＵＩ８００を示す。これのようなものは、米国仮出願番号６１／７９２，７１６及び６１／８１７，１８０により詳細に記載されている。ＵＩ８００は、携帯デバイス７１２上で動作する。携帯デバイスケース７１６は、以下に更なる詳細を示すハウジング１１０を具体化する“臭覚”スマートフォンケース（例えば、ハードシェル、弾性シリコンスリーブ）であり得る。ＵＩ８００は、ユーザが歌のサウンドプロット８１０内の特定の場面に香りを関連付けることを許容する簡素なシーケンサーであり得る。ユーザは、例えば、サウンドプロット８１０内の構造転移８１５又は動的ピーク８２０などの予め計算された関心点を提供され得る。異なる香りを表すアイコン８３０は、香りトラック構成者が、どの香りが音楽における種々の転換点で放出されるべきかを見失わないためのラベルとして使用され得る。図８Ａに示されたシステムは、完成した香りトラックをテスト及び編集するために使用され得る。
【００８５】
図８Ｂは、１つの例示的実施形態による、香りシーケンスの作成のためのＵＩ８５０を表示する携帯電子デバイス７１２を示す。
【００８６】
ＵＩ８５０は、機能を実行するように、例えば、タッチに応答して選択可能な、ユーザが選択可能なある数のアイコンを含む。例えば、プレイアイコン８５２の選択は、香り、オーディオ、及び／又はビデオ、又は視覚映像のシーケンスをもたらす。プレイアイコン８５２は、演奏中は一時停止アイコンへ切り替わり得る。オーディオアイコン８５４は、オーディオ及び香りシーケンスを同期するために選択され得る。メッセージ送信アイコン８５８の選択は、添付された又は関連付けられた香りシーケンス情報を伴う電子的メッセージ（例えば、テキストメッセージ、ＳＭＳメッセージ、ｅｍａｉｌメッセージ）である香り伝達を送信し得る。選択は、特定の香りメッセージのために前もって確立されなかったなどのアドレス情報の特定を許容するダイアログボックスを開け得る。情報アイコン８６０の選択は、情報を有するウィンドウ又はボックスを上へ持ってくる。ＵＩ８５０の残りは、各トラックのレベル、強度、又は周波数を設定するための関連するスライド（総称して８６２）を有する様々なトラック又はチャンネル（トラック又はチャンネル１−８が図示される）、及びゲーティング８６４、スキッピング８６６、テンポ設定８６８、シーケンシング８７０、及びクロッキング８７２のためのユーザが選択可能なアイコン含めて、ＭＩＤＩのサウンドボード、コンソール又はミキサーボードと何らかの点で類似する。
【００８７】
図９は、１つの実施形態による、香りメッセージ７２０を作成するプロセッサにより実施される方法９００を示す。香りトラック７２０は、新しいものを作成するか、又はアロマのライブラリーから既存の香りトラックを選択するかの何れかにより得られ得る。このように、所望の香りトラックがすでにアロマのライブラリーで分類されていれば手順９０２及び９０４は任意となる。
【００８８】
９０２で、プロセッサは、ＵＩ８００を介して上記のようにユーザが香りトラック７２６を構成するためのツールを提供する。
【００８９】
９０４で、プロセッサは、香りトラックのライブラリーに完成された香りトラック７２６を保存するようにＵＩ８００を介してユーザを促す。代替的には、９０６で、ＵＩ８００は、香りメッセージ７２０の一部にするために、ユーザが香りトラック７２６を選択するために、香りトラックのライブラリーから既存の香りトラックの選択を提供し得る。香りトラック７２６は、一般的には、ファイル名、及び、例えば“．ｓｔｋ”のようなファイル拡張子をもつファイル形式である。
【００９０】
９０８で、プロセッサは、ファイル名及び拡張子の代わりに、又は追加的に、香りトラックを示し得る香りアイコンの選択をＵＩ８００を介してユーザに提供し得る。例えば、図７に示されたコーヒー豆のアイコン（数字４２６）は、放出されるコーヒーのアロマんのシーケンスをもたらす香りトラックを示し得る。香りメッセージを作成するために、ユーザは、香りアイコン（単数又は複数）をテキストメッセージ又は電子メール（ｅｍａｉｌ）メッセージ中へドラッグ及びドロップし得る。
【００９１】
９１０で、プロセッサは、ユーザが選択したアイコン及びユーザが選択した香りトラック７２６を関連したアドレスを有するテキスト部７２２に論理的に関連付け得る。
【００９２】
９１２で、例えば、香りトラックがもともとオーディオトラックを伴って作成されていない場合、プロセッサは、オーディオトラックの選択をＵＩ８００を介してユーザに提供し得る。そして、ユーザは、オーディオトラック７２４を示すアイコン（単数又は複数）を香りメッセージ７２０へドラッグ及びドロップすることで香りメッセージ７２０を更に作成し得る。
【００９３】
９１４で、プロセッサは、ユーザが選択したオーディオトラック７２４を香りトラック７２６に論理的に関連付け得る。
【００９４】
９１６で、プロセッサは、作成された香りメッセージ７２０を、テキスト部７２２と関連付けられた行き先への伝送のために無線伝送機へ転送する。
【００９５】
香りメッセージの送信者は、香りメッセージを“再生”する機能を有する必要はないが、相手と香りトラックを共有する前に香りメッセージをテストするためにはこのような機能を有すると有利となり得る。
【００９６】
図１０Ａ−１０Ｃは、香り送達携帯デバイスケース１０００ａ−１０００ｃの種々の実施形態として実施される香り送達デバイスを示す。図１０Ａ及び１０Ｂは、香り送達携帯デバイスケース１０００ａのハードシェルの実施形態を示す。特に、通常は香り送達携帯デバイスケース１０００ａのハードシェルハウジング１００４内にカプセル化されている回路基板１００２は、香り送達デバイス１０００ａに内面プレート１００６を残して、内面プレート１００６の下部から取り除かれているように示されている。香り送達携帯デバイスケース１０００ａの内面プレート１００６は、香りカートリッジレシーバー１１３を形成する、例えば、１００８及び１０１０などの開口を含む。開口１００８、１０１０は、香りカートリッジ１００の外付けに対応する。開口１００８、１０１０は、外部に取り付けられた香りカートリッジ１００を回路基板（circuit card）１００２に取り付けられた活性化要素１１２（例えば、ペルチェデバイス）に連結するために、香り送達携帯デバイスケース１０００ａの背部及び回路基板１０００２の両方を貫通して延在する。使用の際は、回路基板１００２は、望ましくは少し上昇位置に保持され、ハードシェルハウジングの壁に形成された外周隆起部によって内面プレート１００６上に懸架される。このような懸架は、回路基板１００２の下部と内面プレート１００６の間に香りのついた空気を受容するための香り生成チャンバを生成する。低電力マイクロファン１０２２は、内面プレート１００６に埋め込まれ得る。マイクロファン１０２２は、香りのついた空気をベント１０３６の方へ移動することができ、及び／又は、香りポート１０２０を介して香りのついた空気を押し遣るために香り生成チャンバ内で陽圧を生成し得る。
【００９７】
香り送達携帯デバイスケース１０００ａにおけるハードシェルハウジング１００４は、香り送達携帯デバイスケース１０００ａと携帯デバイス（図１０Ａに図示せず）の間の無線通信をサポートするための、香り送達携帯デバイスケース１０００内に少なくとも部分的に配置又は受容されるアンテナをカプセル化し得る。アンテナは、例えば、ストリップライン無線周波数（ＲＦ）アンテナ１０１３などの種々の形態をとり得る。ストリップラインＲＦアンテナ１０１３は、ケースのエッジ１０１５に沿うまっすぐな導電性要素のように図１０Ａに示され、一般的には無線通信に適した任意の形をとり得る。
【００９８】
回路基板１００２は、種々の電子及び／又は電気製品又は電気部品を担持し得る。例えば、回路基板１００２は、制御サブシステム１２８、及び、香りカートリッジ１００から機械可読識別子１１８を読み取るためのリーダ又は他のトランスデューサ１０１８を担持し得る。回路基板２００２は、追加的に又は代替的に、集積回路モジュール１０１４及び集積回路モジュールコネクタ１０１６を担持し得る。集積回路モジュール１０１４は、例えば、後述するように種々のタイプのプロセッサ（例えば、マイクロコントローラ、マイクロプロセッサ、デジタル信号プロセッサ）、駆動回路、非一時的プロセッサ可読記憶媒体、無線受信機（例えば、ラジオ）を含む通信サブシステム、信号処理ハードウェア、及び復号化ハードウェアのような集積回路チップスを含み得る。集積回路モジュール１０１４は、回路基板１００２の下側に配線を介して取り付けられた制御サブシステムに電気的に連結され得る。集積回路モジュール１０１４は、これらの種々の集積回路のための、及び、これらの種々の集積回路間の相互接続を提供するためのプラットホームとして機能するカスタムシステムーオンーチップ（ＳＯＣ）デバイスであり得る。集積回路モジュールコネクタ１０１６は、ストリップラインＲＦアンテナ１０１３及び集積回路モジュール１０１４間の選択可能な電気的連結を提供し得る。
【００９９】
図１０Ｂは、香り送達携帯デバイスケース１０００ａの背面１０３０を示す。背面１０３０は、香りカートリッジ１００を取り付けるためのアクセスを提供する香りカートリッジ開口１０３２、及び、携帯電話のカメラのレンズを妨げないようにするためのカメラレンズ開口１０３４を含む。香り送達携帯デバイスケース１０００ａは香りのついた空気が香り生成チャンバから逃げるのに通るベント１０３６もまた提供する。香り送達携帯デバイスケース１０００ａは、任意的にベント１０３６の開閉を行うスライディングベント調整装置１０３８も提供する。スライディングベント調整装置１０３８は、背面１０３０の面と同一平面、又はそれより少しくぼんでいることが望ましい。また、図１０Ｂに示されているのは、香りポート１０２０に連結されている香り送達導管１０４０である。このようにして、香り送達携帯デバイスケース１０００ａは、ベント１０３６を通るか、香りポート１０２０を通るかの２つの経路の何れかによって、香りのついた空気が回路基板１００２の後ろに位置する香り生成チャンバから逃れることができるようにする。
【０１００】
図１０Ｃは、スマートフォン１０５２又は他のポータブル電子デバイスが配置され及び弾性的に放出可能に保持される香り送達携帯デバイスケース１０００ｂの弾性力のあるソフトシェルの実施形態を示す。ソフトケースハウジング１０５１は、柔軟な及び／又は弾性力のある材料で作られ得る。ソフトケースハウジング１０５１は、例えば、弾性シリコンスリーブ１０５４の形態を取り得る。弾性シリコンスリーブ１０５４は、例えば、落下による衝撃を吸収する、及び／又は標準的な平面ディスプレイスクリーン１０５３（例えば、タッチスクリーン）の破損を防止するなど、損傷からスマートフォン１０５２を保護するために一般的に機能する。弾性シリコンスリーブ１０５４は、弾性シリコンスリーブ１０５４の内側の寸法がスマートフォン１０５２の外形の寸法より少し小さくするように寸法決めされ得る。このように、弾性シリコンスリーブ１０５４は、弾性シリコンスリーブ１０５４がスマートフォン１０５２に装着されるときに延伸され及び弾性力で保持される。シリコンとして説明したが、他のエラストマー又は弾性力のある材料が、適切なスリーブを形成するために使用され得る。
【０１０１】
図１１は、図式的に、香り送達携帯デバイスケース１０００ａ、１０００ｂ内の上記した電子及び電気製品及びそれらの相互接続を示す。
【０１０２】
上記しなかった新たなコンポーネントは、バルブ１１０２及び電力供給（例えば、バッテリー）１１０４を含む。バルブ１１０２は、空気が導管から香り生成チャンバへ流れ込むのを防ぐように香りポートに設置され得る。電力供給１１０４は、香り送達携帯デバイスケース１０００ａ、１０００ｂ内の全ての電気デバイスに電力を供給する。電力供給１１０４は、例えば、１つ以上の化学電池セル（例えば、リチウムイオン）、スーパー、又はウルトラ−蓄電池、及び／又は燃料電池などの種々の形態の何れかをとり得る。電力供給１１０４は、例えば、二次電池（例えば、ニッケル−カドミウム、ニッケル−亜鉛、ニッケル水素、リチウム−イオン）、又はスーパー又はウルトラ−蓄電池のような再充電可能な電力源であり得る。このような場合、電子機器は従来の充電回路を含み得る。代替的に、電力供給１１０４は、最終的には交換が必要な一次電池（例えば、亜鉛−炭素、アルカリ）のような消耗電力源であり得る。
【０１０３】
制御サブシステム１２８は、香りアクチュエータ１１２内の活性化要素だけでなく、ファン１０２２及びバルブ１１０２を制御する。制御サブシステム１２８は、マイクロコントローラ及びメモリーのような離散又は集積非一時的記録媒体を含み得る。好ましいマイクロコントローラは、ＡＴＭＥＧＡ４８／８８／１６８−ＡＵと記号表示されるＡｔｍｅｌコーポレーションから商業的に入手可能なマイクロコントローラなどの、システム内プログラマブルフラッシュメモリを有する８−ビットのマイクロコントローラの形態をとり得る。マイクロコントローラは、そのメモリ内に記憶されたプログラムを実行し、及び例えば、活性化要素１１２（例えば、ペルチェデバイス）、ファン１０２２、バルブ１１０２等のような種々の他のコンポーネントを制御するための信号を送信する。制御信号は、特に能動的電力供給デバイス（例えば、ＤＣ／ＤＣ電力変換器）を制御する場合、例えば、パルス幅変調（ＰＷＭ）制御信号であり得る。それ以外では、制御信号は多種多様な形態を任意に取り得る。例えば、マイクロコントローラは、単にファン１０２２に電力を供給する回路を閉じることで、ファン１０２２を制御し得る。例えば、マイクロコントローラは、単にバルブ１１０２に電力を供給する回路を閉じることで、バルブ１１０２を制御し得る。
【０１０４】
図１２に例示されているように、香り送達携帯デバイスケース１０００ａ、１０００ｂは、香りメッセージ７２０を受信するために携帯通信デバイス１０５３と併せて使用され得る。
【０１０５】
１２０２で、携帯通信デバイス１０５３は、無線メッセージの受信を認識する。
【０１０６】
１２０４で、携帯通信デバイス１０５３は、受信した無線メッセージが香りトラックを含み、したがって香りメッセージであるか否かを決定する。メッセージが香りトラックを含んでいない場合、メッセージは、例えば、テキストメッセージ、ＳＭＳメッセージ、又はｅｍａｉｌメッセージとしてなど、通常の方法で処理され得る。
【０１０７】
１２０６で、無線メッセージが香りメッセージ（すなわち、香り指定情報を含む）だと決定された場合、香りメッセージは再生の前に保存され得る。携帯通信デバイス１０５３が香りメッセージを再生するための指示をユーザから受信したときは、香り送達システム（例えば、香り送達携帯デバイスケース１０００ａ、１０００ｂ）を携わらせることが必要である。
【０１０８】
１２１０で、携帯通信デバイス１０５３は、例えば、テキスト、オーディオ、及び／又は視覚トラック、及び香りトラックなどの構成部分に香りメッセージを構文解析する。
【０１０９】
１２１２で、香りメッセージのテキスト部７２２は、ユーザが読めるように表示される。
【０１１０】
１２１４で、オーディオ、及び／又は視覚トラック７２４は、香り送達と共に実質的に同時に再生するために頭出しをされ得る。
【０１１１】
１２１６で、香りトラック７２６は、オーディオ及び／又は視覚トラック７２４が携帯デバイス１０５３を介して通常の方法で再生する間に、コード化されたアロマシーケンスの実行のために香り送達システム（例えば、香り送達携帯デバイスケース１０００ａ、１０００ｂ）へ転送され得る。
【０１１２】
図１３Ａ及び１３Ｂは、香り又は嗅覚刺激を個々のユーザ（すなわち、香り消費者）へ送達するための、個人向けの形態の香り送達ヘッドセット１３１０を含む香り送達システム１３００を示す。香り送達ヘッドセット１３１０は、ユーザ（例えば、ヒト）の頭に装着され得る支持構造１３２０、及びユーザの鼻まで延びる香り送達部１３２５を含む。香り送達ヘッドセット１３１０は、更に、ユーザの鼻の近くまで香りを送達するヘッドセット香りポートモジュール１３３０内の１つ以上ヘッドセット香り送達ポートを含む。香り送達システム１３００は、更に、上記の他の実施形態の記載と一貫するように香りを生成するハウジング１１０を含む。上記説明と一貫して、ハウジング１１０は、香り媒体１０４を担持する香りカートリッジ１００を取り外し可能に受容する。
【０１１３】
１つの実施形態では、香り送達ヘッドセット１３１０は、１つ以上の流体導管１０４０を介してハウジング１１０に連結され得る。流体導管１０４０は、ハウジング１１０内から香りづけされた空気を受け取るためのヘッドセット１３１０とハウジング１１０の香りポート（単数又は複数）１０２０（図示せず）間の１つ以上の構成可能な流体連絡パスを提供する。例えば、ハウジング１１０は、香り送達携帯デバイスケース１０００ａ、１０００ｂの形態であり得る。流体導管１０４０の内側又は流体導管１０４０に並行している１つ以上の連絡導管は、ハウジング１１０とヘッドセット１３１０の間の１つ以上の情報（例えば、命令、データ）信号パス（例えば、ワイヤー、光ファイバー）を提供し得る。ヘッドセット１３１０は、ヘッドセットがユーザの頭に装着されることを許容するケーブル又は代替的にはストリング又はワイヤーの形態を取り得る１つ以上の引張部材と連結され得る。ハウジング１１０とは別体のヘッドセット１３１０を用いることは、より重いコンポーネントをヘッドセット１３１０とは別にすることを許容する。これは、実際の使用中に、ヘッドセット１３１０内に位置するヘッドセットポートモジュール１３３０を、ユーザの鼻の近くに配置することを容易にする。
【０１１４】
１つの実施形態では、香り送達ヘッドセット１３１０は、１つ以上の流体導管１０４０を介した連結が不要な自己充足型ユニットとしてのハウジング１１０を含み得る。例えば、ハウジング１１０は、香りカートリッジ１００の小型化された実施形態として構成され得る、温度活性化香り媒体１０４を含む、ヘッドセット香りポートモジュール１３３０内に形成され得る。代替的に、ハウジングは、支持構造１３２０内のヘッドセット１３１０内に形成され得る。支持構造１３２０は、例えば、ハウジング１１０のコンポーネントを収容するために、上部を広げることができ、又はハウジング１１０のコンポーネントは、支持構造１３２０に沿って、及び／又は、香り送達部１３２５に沿って配置され得る。
【０１１５】
ヘッドセット１３１０は、任意的に、プロセッサ・ベースの携帯デバイス１０５３との無線通信（例えば、Ｂｌｕｅｔｏｏｔｈ（登録商標））を提供し得る。ヘッドセット１３１０は、任意的に、香りメッセージ又は分離した香りトラックに随伴するオーディオトラックを再生するためのイヤホンを提供し得る。
【０１１６】
要約に記載したものを含む例示の実施形態の上記記載は、網羅的なものではなく、また実施形態を開示の形態そのものに限定するものでもない。特定の実施形態及び例を本明細書中において例示目的のため記載しているが、関連分野の当業者であれば認識するように、多様な均等の変更が本開示の意図及び範囲から逸脱することなく可能であり得る。多様な実施形態の本明細書に記載される教示内容は、必ずしも上記に主に示した例示的なシステムだけでなく、他のシステムにも適用可能である。
【０１１７】
例えば、例示の及び／又は記載のもの以外のネットワーク及びさらには非ネットワークトポロジーが用いられ得る。
【０１１８】
上記の詳細な記載は、ブロック図、模式図及び例の使用を介してデバイス及び／又はプロセスの多様な実施形態を記載した。このようなブロック図、模式図及び例が１つ以上の機能及び／又は動作を含む限り、当業者であれば、広範囲のハードウェア、ソフトウェア、ファームウェア又は実質的にこれらの任意の組み合わせによりこのようなブロック図、フローチャート又は例内の各機能及び／又は動作を個々に及び／又は集合的に実行することが可能であることを理解する。一実施形態において、本発明は、特定用途向け集積回路（ＡＳＩＣ）又はプログラマブルゲートアレイを介して実行され得る。しかし、当業者であれば、本明細書中に開示される実施形態は、全体的又は部分的に、１つ以上のコンピュータ上において実行する１つ以上のコンピュータプログラム（例えば、１つ以上のコンピュータシステム上において実行する１つ以上のプログラム）として、１つ以上のコントローラ上において実行する１つ以上のプログラム（例えば、マイクロコントローラ）として、１つ以上のプロセッサ上において実行する１つ以上のプログラム（例えば、マイクロプロセッサ）として、ファームウェアとして又は実質的にこれらの任意の組み合わせとして標準的な集積回路において均等に実行可能であり、また、回路を設計すること及び／又はソフトウェア及び又はファームウェア用のコードを書くことは、当業者が本開示を鑑みれば為し得ることであることを理解する。
【０１１９】
多様な方法及び／又はアルゴリズムについて述べてきた。これらの方法及び／又はアルゴリズムのいくつか又は全ては、記載された行為又はステップのうち一部を省略し得、さらなる行為又はステップを含み得、行為又はステップを組み合わせ得、及び／又は、いくつかの行為又はステップを記載の順序と異なる順序で行い得る。方法又はアルゴリズムの一部は、ソフトウェアルーチンにおいて実行され得る。ソフトウェアルーチンの一部は、他のソフトウェアルーチンから呼び出され得る。ソフトウェアルーチンは、逐次的に又は一斉に実行し得、マルチスレッドアプローチを用い得る。
【０１２０】
上記した多様な実施形態は、さらなる実施形態を提供するように組み合わされ得る。米国仮特許出願番号第６１／７９２，７１６号（出願日：２０１３年３月１５日）；米国仮特許出願番号第６１／８１７，１８０号（出願日：２０１３年４月２９日）及び米国仮特許出願番号第６１／８２２，２７０号（出願日：２０１３年５月１０日）の全体を本明細書中参考のため援用する。必要ならば、さらなる実施形態を提供するように多様な米国特許、出願及び公開文献のシステム、回路及びコンセプトを用いるために、実施形態の態様を変更することが可能である。
【０１２１】
上記の詳細の記載を鑑みれば、これらの変更及び他の変更が実施形態において可能である。一般的に、以下の特許請求の範囲において、用いられる用語は、特許請求の範囲を本明細書及び特許請求の範囲中に開示された特定の実施形態に制限するものとして解釈されるべきではなく、全ての可能な実施形態及びこのような特許請求の範囲が権利を持つ均等物の全範囲を含むものとして解釈されるべきである。よって、特許請求の範囲は、本開示によって限定されない。
【図１Ａ】
2016522690.tif 000003
【図１Ｂ】
2016522690.tif 000004
【図２Ａ】
2016522690.tif 000005
【図２Ｂ】
2016522690.tif 000006
【図３Ａ】
2016522690.tif 000007
【図３Ｂ】
2016522690.tif 000008
【図４】
2016522690.tif 000009
【図５】
2016522690.tif 000010
【図６】
2016522690.tif 000011
【図７】
2016522690.tif 000012
【図８Ａ】
2016522690.tif 000013
【図８Ｂ】
2016522690.tif 000014
【図９】
2016522690.tif 000015
【図１０Ａ】
2016522690.tif 000016
【図１０Ｂ】
2016522690.tif 000017
【図１０Ｃ】
2016522690.tif 000018
【図１１】
2016522690.tif 000019
【図１２】
2016522690.tif 000020
【図１３Ａ】
2016522690.tif 000021
【図１３Ｂ】
2016522690.tif 000022
【国際調査報告】
2016522690.tif 000023
2016522690.tif 000024
2016522690.tif 000025
2016522690.tif 000026